(57)【要約】【課題】口腔清掃補助具を用いて歯間部の口腔清掃のために鼓形歯間空隙に歯間清掃器具を挿入する場合に、清掃ブラシ部先端で歯肉を傷つけることなく、同時に疼痛や違和感を発現することなく容易に挿入可能であるとともに、複雑な歯根形状を有する迷路のような挿入方向に規制のある歯間部にも抵抗なく挿入するだけで適合し、歯根陥窮部にも磨きのこしがなく、さらに、上記歯間清掃作業中に快適で破損することが少ない歯間清掃補助具を提供することである。【解決手段】適度な弾性と形状復元性および可撓性を併せ持つ樹脂や金属などの軸部の先端部周囲に、各種形状の被圧縮性の高い天然繊維素、天然ゴム、合成ゴム、あるいは合成樹脂などのスポンジ（連続多孔体）を接着あるいは溶着した歯間清掃スポンジを電動歯間清掃器具の運動軸、あるいは手用歯間清掃器具の保持部に接続した歯間清掃器具。【選択図】　　　　　図３
2004041260.tif 000002
【特許請求の範囲】
【請求項１】
歯間部の歯面、歯肉および歯肉溝を清掃する器具であって、特願２０００−３８０６８６、特願２００１−２３０２０７の様なスライド運動、回転運動、あるいは回転スライド運動を発生する電動歯間清掃器具の運動軸、あるいは手用歯間清掃器具に接続した適度な弾性と形状復元性および可撓性を併せ持つ樹脂や金属などの軸部と、
前記、軸部の先端部を包み込むように、先端が滑らかな丸みを持った円柱あるいは多角柱形状の被圧縮性の高い天然繊維素、天然ゴム、合成ゴム、あるいは合成樹脂などのスポンジ（特殊連続多孔体）を、接着あるいは溶着した歯間清掃スポンジ部と、を含み、
前記、歯間清掃スポンジ部を歯間部に挿入する場合、軸先端部を被覆する歯間清掃部スポンジが、歯間部に挿入する際に辺縁および乳頭歯肉を傷つけることを防止し、
頬や舌あるいは口唇などによって、手用歯間清掃器具や電動歯間清掃器具の口腔挿入方向が解剖学的制約を受けるために、歯間清掃スポンジの軸方向と、鼓形歯間空隙の頬舌的貫通方向を一致させることが困難な場合も、滑らかな丸みを持った先端部を、頬側歯肉側鼓形歯間空隙、あるいは舌側（口蓋側）歯肉側鼓形歯間空隙に位置させて、頬舌方向に軽く圧入すれば、適度な弾性と形状復元性および可撓性を併せ持つ樹脂や金属などの軸部と歯間清掃スポンジ部が適度な弾性をもって変形することによって、容易に挿入を可能とし、
さらに、歯間部に挿入後、歯間清掃スポンジ部をスライド運動、回転運動あるいは回転スライド運動させると、複雑な歯根形状を有する迷路のような歯間部にも挿入するだけで、軸部と歯間清掃スポンジ部が、鼓形歯間空隙の複雑な解剖学的形態に応じて適合変形することによって、過不足なくスポンジの弾性でスポンジ表面を歯間部の歯面、歯肉および歯肉溝に圧接し、スポンジ表面の微細な凹凸が同部の歯垢を除去清掃するとともに、形状復元性と弾性を有する歯間清掃スポンジ部および軸部の材質によって変形破折を防止したことを特徴とする歯間清掃器具。
【請求項２】
請求項１に加えて、請求項１に記載の手用歯間清掃器具の保持部、あるいはスライド運動する電動器具のスライド軸に勘合した鞘状のジョイント部と、
前記、ジョイント部の鞘に勘合し、軸回転方向に左右０度から左右４５度回転自在に装着した適度な弾性と形状復元性および可撓性を併せ持つ軸部と、
その軸部先端を包み込むように、長軸断面形状を、歯間乳頭退縮による鼓形歯間空隙の状況に適合した、頂点を両隣在歯の接触点とし、底辺は両端を隣接面歯周ポケット底とし、乳頭歯肉の豊隆に適合するように弓状に窪んだ三角柱、または、先端部から後端部にかけテーパー状の三角錐の外形になるように比較的軟質な被圧縮性の高い天然繊維素、天然ゴム、合成ゴム、あるいは合成樹脂などのスポンジ（連続多孔体）で成型し、その三角柱の長軸中心から長軸に平行な三辺に向けて放射状（矢尻状）に配置した比較的硬質な被圧縮性の高い天然繊維素、天然ゴム、合成ゴム、あるいは合成樹脂などのスポンジ（連続多孔体）で構成した歯間清掃スポンジ部か、
前記、歯間清掃スポンジの厚みを０．１ミリから２ミリの板状のピースとした歯間清掃フィン中心部を同一角度で連続的に数珠状に配列し、各フィンを連ねた外形が三角柱、または、先端部から後端部にかけテーパー状の三角錐の外形になる歯間清掃スポンジ部と、を含み、
その、歯間清掃スポンジ部を装着した手用歯間清掃器具および電動歯間器具を鼓形歯間空隙に向けて任意の方向から挿入するだけで、挿入方向にかかわらず歯牙接触点を頂点とし、隣接歯の近遠心遊離歯肉を底辺とする二等辺三角形の外形を呈する鼓形歯間空隙に適合するように自動的に回転して歯間清掃スポンジ部を挿入可能とし、軸中心から長軸に平行な三辺に向けて放射状（矢尻状）に配置した比較的硬質な天然繊維素、天然ゴム、合成ゴム、あるいは合成樹脂などのスポンジ（連続多孔体）が隣接面歯周ポケット底内部の清掃を可能としたことを特徴とする歯間清掃器具。
【請求項３】
請求項１に加えて、請求項１に記載の清掃スポンジの長軸面に、長軸方向に螺旋状（螺子状）の溝を形成し、軸部を回転運動させることによって意図的に歯垢を頬側あるいは舌側の一定方向に排出し、電動歯間清掃器具軸部の回転運動方向を随時変換することによって、螺子状の溝は、その推進力により狭窄した鼓形歯間空隙に対して歯間清掃スポンジの侵入を容易にするとともに、逆回転に電動歯間清掃器具を駆動すれば容易に歯間清掃スポンジを引く抜く手助けとなる歯間清掃スポンジ部を備えることを特徴とする歯間清掃器具。
【請求項４】
請求項１に加えて、請求項１に記載の清掃スポンジの長軸断面形状を、星形（ヒトデ形）、歯車形、あるいは星形（ヒトデ形）、歯車形の突起部頂点を軸回転方向に対して一定に渦巻き状に回転変形させた形状になるように、軸長軸方向に対して平行か、あるいは多重螺旋状に複数の溝を形成する事によって、軸の回転で歯垢を掻き出すとともに、多重螺旋（多重螺子状）の推進力により狭窄した鼓形歯間空隙に対して歯間清掃スポンジ部の侵入を容易にするとともに、逆回転に電動歯間清掃器具を駆動すれば容易に歯間清掃スポンジ部を引く抜く手助けとなる歯間清掃スポンジ部を備えることを特徴とする歯間清掃器具。
【請求項５】
請求項１に加えて、請求項１に記載の清掃スポンジの長軸断面形状を、星形（ヒトデ形）、歯車形、あるいは星形（ヒトデ形）、歯車形の突起部頂点を軸回転方向に対して一定に回転変形させた断面形状の厚さ０．１ミリから２ミリの被圧縮性の高い被圧縮性の高い天然繊維素、天然ゴム、合成ゴム、あるいは合成樹脂などのスポンジ（連続多孔体）を、各星形（ヒトデ形）、歯車形の突起部頂点が近接するそれぞれのピースでランダムにオフセットするか、あるいは、軸に対して一定角度で連続的に変異（軸方向に対して多重螺旋の溝を形成）するピースを、軸部に数珠状に接着あるいは溶着した歯間清掃スポンジ部を備えることを特徴とする歯間清掃器具。
【請求項６】
請求項１および請求項４に加えて、請求項１および請求項４に記載の各種断面形状のスポンジ部表面に、軸方向に対して直角方向に複数の溝を形成するか、外周の形状が多角形あるいは円形のカップ型のピースを軸部に数珠状に均等配置し、軸方向にスライド運動することによって歯垢を、溝の内部あるいはカップ部分の内面に歯垢を捕らえ、さらに頬側あるいは舌側に排出する歯間清掃スポンジ部を備えることを特徴とする歯間清掃器具。
【請求項７】
請求項１に加えて、請求項１から請求項４に記載の歯間清掃スポンジ部の先端部、中央部、後端部でおのおのの同一の被圧縮性、あるいは異なった被圧縮性を有するように被圧縮性の高い天然繊維素、天然ゴム、合成ゴム、あるいは合成樹脂などのスポンジ（連続多孔体）を移行的にあるいは部位別に多重成型し、請求項５および請求項６に記載の清掃スポンジ部では、先端のピースと後端のピースを中央のピースに比較してより硬質な被圧縮性の高い天然繊維素、天然ゴム、合成ゴム、あるいは合成樹脂などのスポンジ（連続多孔体）で構成することによって、歯間挿入時に、頬側、舌側あるいは両側に貫通突出したより硬質なスポンジの反発抵抗により、手指の感覚で清掃スポンジ部が歯間部に的確に挿入されていることを感じ取ることができるだけでなく、軟質なピースは歯根陥窮部によく適合して歯垢除去能率を高めたことを特徴とする歯間清掃スポンジ部を備えた歯間清掃器具。
【請求項８】
請求項１に加えて、請求項１に記載の手用歯間清掃器具の保持部、あるいはスライド運動する電動歯間清掃器具のスライド軸に接続した適度な弾性と形状復元性および可撓性を併せ持つ樹脂や金属などの軸部と、
前記、軸部の先端部を包み込むように、先端が滑らかな丸みを持った円柱あるいは多角柱形状の外形になるように、適度な弾性を有する被圧縮性の高い天然繊維素、天然ゴム、合成ゴム、あるいは合成樹脂などのファイバーを、電着、接着あるいは溶着したファイバーブラシ部と、を含み、
前記、ファイバーブラシ部を歯間部に挿入する場合、軸先端部を被覆するファイバーブラシ部が、歯間部に挿入する際に辺縁および乳頭歯肉を傷つけることを防止し、
頬や舌あるいは口唇などによって、手用歯間清掃器具や電動歯間清掃器具の口腔挿入方向が解剖学的制約を受けるために、ファイバーブラシ部の軸方向と、鼓形歯間空隙の頬舌的貫通方向を一致させることが困難な場合も、滑らかな丸みを持った外形の先端部を、頬側歯肉側鼓形歯間空隙、あるいは舌側（口蓋側）歯肉側鼓形歯間空隙に位置させて、頬舌方向に軽く圧入すれば、適度な弾性と形状復元性および可撓性を併せ持つ樹脂や金属などの軸部が、変形することによって、容易に挿入を可能とし、
さらに、歯間部に挿入後、ファイバーブラシ部をスライド運動、回転運動あるいは回転スライド運動させると、複雑な歯根形状を有する迷路のような歯間部にも挿入するだけで軸部が、鼓形歯間空隙の複雑な解剖学的形態に応じて適合変形することによって、過不足なくファイバーブラシ部を歯間部の歯面、歯肉および歯肉溝に圧接し、歯垢を除去清掃するとともに、形状復元性と弾性を有する軸部の材質によって変形破折を防止したことを特徴とする歯間清掃器具。
【発明の詳細な説明】
【０００１】
【発明の属する技術野】
歯牙表面と歯周組織に付着するプラークは虫歯と歯槽膿漏の原因である細菌の温床となり歯牙喪失の二大原因である。本発明は、特に歯周病の原因となる歯間部のプラークコントロールに最適な口腔清掃用具に関するものである。
【０００２】
【従来の技術】
一般に、歯牙喪失の二大疾患は、カリエスと歯周病であるが、特に歯周病に罹患して歯肉退縮を起こしているケースでは、一般的な歯ブラシによる歯間部のプラークコントロールには限界があり、そのため歯間ブラシなどの口腔清掃補助具が広く使用されている。その代表的な清掃補助器具歯間ブラシは金属よじり線に同心円状にナイロンブラシを巻きつけて配列したものであるが、歯間部挿入時に先端部が歯肉に当たると歯肉を傷つけることも多く、歯牙に先端部の金属があたると違和感を発現し、反復使用によって金属よじり線は金属疲労によって清掃作業中に破損する危険性が高く、日常のオーラルケアに定着させるためには数々の問題があった。さらに、挿入方向に適合す様に清掃ブラシ部分にプレカーブを付与すると、金属線自体に形状復元性がないために歯根陥窮部位などに磨き残し部位が発生する危険性があった。
【０００３】
【発明が解決しようとする課題】
前述の如く、歯間部のプラークコントロールの有用性は高い。しかるに、口腔清掃補助具を用いて歯間部の口腔清掃のために鼓形歯間空隙に歯間清掃器具を挿入する場合に、清掃部先端で歯肉を傷つけることなく、同時に疼痛や違和感を発現することなく容易に挿入可能であるとともに、複雑な歯根形状を有する迷路のような挿入方向に規制のある歯間部にも抵抗なく挿入するだけで適合し、歯根陥窮部にも磨きのこしがなく、さらに、上記清掃作業中に快適で破損することが少ない歯間清掃補助具を提供することである。
【０００４】
【課題を解決するための手段および効果】
本発明は、上記目的を達成するためになされたものであり、第一の発明は、適度な弾性と形状復元性および可撓性を併せ持つ樹脂や金属などの軸部の先端部周囲に被圧縮性の高い天然繊維素、天然ゴム、合成ゴム、あるいは合成樹脂などのスポンジ（連続多孔体）を接着、あるいは溶着した歯間清掃部を、特願２０００−３８０６８６、特願２００１−２３０２０７の様なスライド運動、回転運動あるいは回転スライド運動を発生する電動歯間清掃器具の運動軸、あるいは手用歯間清掃器具の保持部に接続した歯間清掃スポンジを備える歯間清掃器具である。
この弾力性を有する被圧縮性の高い天然繊維素、天然ゴム、合成ゴム、あるいは合成樹脂などのスポンジ（連続多孔体）によって、清掃スポンジ部を歯間部に挿入するだけでスポンジ表面各種形状は歯面、歯肉および歯肉溝に圧接され、天然繊維素、天然ゴム、合成ゴム、あるいは合成樹脂などのスポンジ（連続多孔体）の表面の微細な凹凸によって同部の清掃が可能となる。
【０００５】
また、軸先端部を弾性のある被圧縮性の高い天然繊維素、天然ゴム、合成ゴム、あるいは合成樹脂などのスポンジ（連続多孔体）で被覆してあるので、歯間部に挿入する際に辺縁および乳頭歯肉を傷つけることを防止し、頬舌的に鼓形歯間空隙に対する軸挿入方向に制約がある場合も、適度な弾性と形状復元性および可撓性を併せ持つ軸部とともに歯間清掃部が適度な弾性をもって変形するので容易に歯間清掃部への挿入が可能となり、さらに、複雑な歯根形状を有する迷路のような歯間部にも抵抗なく挿入するだけで歯間清掃部が被圧縮性の高い天然繊維素、天然ゴム、合成ゴム、あるいは合成樹脂などのスポンジ（連続多孔体）の弾力性によって変形適合するので歯根陥窮部まで清掃可能である。加えて、形状復元性と弾性を有する歯間清掃部および軸部の材質によって従来の歯間ブラシのように金属疲労などによる変形破折を防止することが可能となる。
【０００６】
この電動歯間清掃器具によって歯肉の炎症による腫脹があるケースや直視不可能な臼歯部、特に最後臼歯遠心部や歯間部など各種清掃ブラシや合成樹脂などで成型した清掃チップを装着した口腔清掃部の挿入方向に制約が生じる場合においても、無理のない任意の方向から歯間清掃スポンジの滑らかな丸みを持った先端部を、頬側歯肉側鼓形歯間空隙、あるいは舌側（口蓋側）歯肉側鼓形歯間空隙に位置させて、頬舌方向に軽く圧入し、目的部位に到達させ、保持するだけでプラークコントロールが可能となるので正確な歯面清掃とともに歯間乳頭歯肉の損傷防止に役立つばかりか、歯間清掃スポンジや清掃チップ自体、あるいは口腔清掃部分と本体接合部分が不必要な圧力を受けることが無くなるので破損を防止し耐久性を向上させることができる。
【０００７】
第二の発明は、一般的に歯間乳頭退縮の大きいケースでは、鼓形歯間空隙の形状は頂点を両隣在歯の接触点とし、底辺をその両端を隣接面歯周ポケット底とする三角形の外形となるので、この形状に相似する断面形態の中心部から放射状に鼓形歯間空隙形状の三角形の頂点に向けて矢尻状に配置した比較的硬質な被圧縮性の高い天然繊維素、天然ゴム、合成ゴム、あるいは合成樹脂などのスポンジ（連続多孔体）で構成した歯間清掃スポンジ部か、あるいは、その歯間清掃スポンジを厚み０．１ミリから２ミリの板状のピースとした歯間清掃フィンの中心部を同一角度で連続的に数珠状に軸通した歯間清掃スポンジ部を適度な弾性と形状復元性および可撓性を併せ持つ軸部に接着あるいは溶着し、その軸部と鞘状に勘合し軸方向に左右０度から左右４５度回転自在に、手用歯間清掃器具の保持部、あるいはスライド運動する電動器具のスライド軸に勘合した歯間清掃スポンジ部を備える歯間清掃器具である。
【０００８】
この歯間清掃器具によって、手用歯間清掃器具の保持部および電動器具を任意の挿入角度と方向から歯間部に挿入するだけで、歯牙接触点を頂点として隣接歯の近遠心遊離歯肉を底辺とする二等辺三角形の鼓形歯間空隙に適合した角度に歯間清掃スポンジ部が自動的に回転適合して鼓形歯間空隙を間隙無く満たすように挿入される。この種の形状の歯間清掃スポンジでは、テーパー状に先端部から後端部にかけて板状のピースとした歯間清掃フィンの外形を移行的に大きくしてやれば、より歯間部挿入操作が容易になる。加えて、鼓形歯間空隙に密着圧入した歯間清掃フィンの被圧縮性の差異によって、比較的硬質なスポンジなどの特殊連続多孔体が隣接面歯周ポケット底部内部や両隣在歯の接触点の歯垢を清掃することを可能とする。
【０００９】
第三の発明は、第一の発明の歯間清掃スポンジ長軸面に螺旋状の溝を形成した歯間清掃スポンジを備える歯間清掃器具である。電動歯間清掃器具軸部の回転運動によって長軸面の螺旋形の溝は、歯垢を掻き出すとともに頬側あるいは舌側の一定方向へ意図的に排出することが可能とするだけではなく、電動歯間清掃器具軸部の回転運動方向を随時変換することによって、螺子状の溝は推進力を発揮するので狭窄した鼓形歯間空隙に対して歯間清掃スポンジの侵入を容易にするとともに、逆回転に電動歯間清掃器具を駆動すれば容易に歯間清掃スポンジを引く抜く手助けとなる
【００１０】
第四の発明は、第一の発明の清掃スポンジ部の長軸断面形状を、星形（ヒトデ形）、歯車形、あるいは星形（ヒトデ形）、歯車形の突起部頂点を軸回転方向に対して一定に渦巻き状に回転変形させた形状になるように、軸長軸方向に対して平行か、あるいは多重螺旋状に複数の溝を形成した歯間清掃器具である。
【００１１】
この歯間清掃器を歯間部に挿入の上回転させると、軸長軸方向に対して平行の溝を形成した形状のものでは、星形（ヒトデ形）、歯車形、あるいは星形（ヒトデ形）、歯車形の突起部頂点を軸回転方向に対して一定に渦巻き状に回転変形させた断面形状により、溝の底部に歯垢がかき集められ、多重螺旋状に複数の溝を形成する形状の物では、かき集められた歯垢は、さらに電動歯間清掃器具軸部の回転運動によって歯垢を掻き出すと同時に頬側あるいは舌側の一定方向へ意図的に排出することが可能となる。また、電動歯間清掃器具軸部の回転運動方向を随時変換することによって、第三の発明と同様に、多重螺旋状（多重螺子状）の推進力によって狭窄した鼓形歯間空隙に対して歯間清掃スポンジの侵入を容易にするとともに、逆回転に電動歯間清掃器具を駆動すれば容易に歯間清掃スポンジを引き抜く手助けとなる
【００１２】
第五の発明は、第一の発明の歯間清掃スポンジを星形（ヒトデ形）、歯車形、あるいは星形（ヒトデ形）、歯車形の突起部頂点を軸回転方向に対して一定に回転変形させた断面形状で、厚さ０．１ミリから２ミリの被圧縮性の高い天然繊維素、天然ゴム、合成ゴム、あるいは合成樹脂などのスポンジ（連続多孔体）のおのおのの同一の被圧縮性、あるいは異なった被圧縮性を有するピースを、ランダムにオフセットするか、あるいは、軸に対して一定角度で変異（軸方向に対してステップ状に複数の螺旋形の溝を形成）するよう軸部に数珠状に接着あるいは溶着したことを特徴とする歯間清掃スポンジである。
【００１３】
この歯間清掃スポンジ部を歯間部に挿入の上、保持するだけで軸回転方向に対してランダムに配列した複数の各星形（ヒトデ形）、歯車形の突起部頂点が歯垢を掻き出し、その基底部に歯垢を蓄える。また軸に対して一定角度で変異（軸方向に対してステップ状に複数の螺旋形の溝を形成）するよう配列した歯間清掃部では、電動歯間清掃器具の回転力を利用して、意図的に歯垢を頬側あるいは舌側の一定方向に排出することを可能とするだけでなく、第三、第四の発明と同様に、多重螺旋状（多重螺子状）の推進力によって狭窄した鼓形歯間空隙に対して歯間清掃スポンジの侵入を容易にするとともに、逆回転に電動歯間清掃器具を駆動すれば容易に歯間清掃スポンジを引く抜く手助けとなる。
【００１４】
第六の発明は、第一の発明および第四の発明の各種断面形状のスポンジ部表面に、軸方向に対して垂直方向に複数の溝を形成するか、外周の形状が多角形あるいは円形のカップ型で、おのおのの同一の被圧縮性、あるいは異なった被圧縮性を有するピースを軸部に数珠状に均等配置した歯間清掃スポンジ部を備えることを特徴とする歯間清掃器具である。
【００１５】
この歯間清掃スポンジ部を、電動歯間清掃器具や手用器具を用いて軸方向にスライド運動することによって、溝の内部あるいはカップ部分の内面に歯垢を捕らえ、さらに頬側あるいは舌側に排出することが可能となる。
【００１６】
第七の発明は、第一の発明から第四の発明の歯間清掃スポンジ部を先端部、中央部、後端部で、異なった被圧縮性を有するように、天然繊維素、天然ゴム、合成ゴム、あるいは合成樹脂などのスポンジ（連続多孔体）を移行的にあるいは部位別に多重成型したものか、第五の発明および第六の発明の先端のピース、後端のピース、中央のピースを異なった被圧縮性を有する天然繊維素、天然ゴム、合成ゴム、あるいは合成樹脂などのスポンジ（連続多孔体）で構成する歯間清掃スポンジである。
【００１７】
一例として、先端部分と後端部分を比較的硬質に、中央部分を比較的軟質な被圧縮性の高い天然繊維素、天然ゴム、合成ゴム、あるいは合成樹脂などのスポンジ（連続多孔体）で構成すれば、歯間部挿入時に両端の比較的硬質な部位の摩擦抵抗を手指の感覚で感じ取り、鏡などを使用せずに、清掃スポンジ部が歯間部に的確に挿入されていることを確認ことができる。また、中央部の比較的軟質部位、あるいは軟質なピースは、歯根陥窮部によく適合して歯垢除去能率を高める。
【００１８】
第八の発明は、第一の発明の手用歯間清掃器具の保持部、あるいはスライド運動する電動器具のスライド軸に接続した適度な弾性と形状復元性および可撓性を併せ持つ樹脂や金属などの軸部に、適度な弾性を有する被圧縮性の高い天然繊維素、天然ゴム、合成ゴム、あるいは合成樹脂などのファイバーで、軸部の先端部を包み込み、先端が滑らかな丸みを持った円柱あるいは多角柱形状の外形になるように、電着、接着あるいは溶着したファイバーブラシ部を備えることを特徴とする歯間清掃器具である。
【００１９】
軸先端部を被覆するファイバーブラシ部が、ファイバーブラシ部を歯間部に挿入する場合、歯間部に挿入する際に辺縁および乳頭歯肉を傷つけることを防止し、滑らかな丸みを持った外形の先端部は、頬側歯肉側鼓形歯間空隙をガイドとして手用歯間清掃器具や電動歯間清掃器具の口腔挿入方向によって決まるファイバーブラシの軸方向を、軸部の適度な弾性と形状復元性および可撓性を併せ持つ樹脂や金属などの軸部適度な弾性により変形させて鼓形歯間空隙の頬舌的貫通方向に導く。
さらに、歯間部に挿入後、ファイバーブラシ部をスライド運動、回転運動あるいは回転スライド運動させると、複雑な歯根形状を有する迷路のような歯間部にも挿入するだけで、軸部が、鼓形歯間空隙の複雑な解剖学的形態に応じて適合変形することによって、過不足なくファイバーブラシを歯間部の歯面、歯肉および歯肉溝に圧接し、歯垢を除去清掃するとともに、形状復元性と弾性を有する軸部の材質によって変形破折を防止する。
【００２０】
【発明の実施の形態】
以下、本発明の実施の形態を図示例と共に説明する。
図３〜図９は発明を実施する形態の一例であって、図中、図と同一の符号を付した部分は同一物を表わしており、実際に口腔内で使用する場合の基本的な構成は図１および図２示す従来のものと同様であるが、本図示例の特徴とするところは、図１示すような電動歯間清掃器具や図２に示す手用歯間ブラシの金属よじり線とナイロン繊維等で構成する清掃ブラシ部分を適度な弾性と形状復元性および可撓性のある金属あるいは樹脂などとスポンジなどの特殊連続多孔で作成した点にある。
【００２１】
図１に示す如く、電動歯間清掃器具の軸部２に接着あるいは溶着した歯間清掃スポンジ部１を歯間部に挿入して電動歯間清掃器具保持部１１をその位置で維持するだけで電動歯間清掃器具の回転運動２１、往復運動２３、あるいは回転スライド運動で歯間部の歯垢がスポンジ表面各種形状と歯面、歯肉および歯肉溝に圧接され天然繊維素、天然ゴム、合成ゴム、あるいは合成樹脂などのスポンジ（連続多孔体）の表面の微細な凹凸によって自動的に除去清掃される。
【００２２】
また、図３に示す螺旋歯間清掃スポンジを電動歯間清掃器具が稼動状態で歯間部に挿入すると弾性のあるスポンジで被覆してある螺旋歯間清掃スポンジ先端部１ａが歯間部に挿入する際に辺縁および乳頭歯肉を傷つけることを防止し、適度な弾性と形状復元性および可撓性を併せ持つ樹脂や金属などの軸部２によって、頬舌的に鼓形歯間空隙に対する軸挿入方向に制約がある場合、軸部２とともに歯間清掃スポンジ部１が適度な弾性をもって図４に示すように変形するので複雑な歯根形状を有する迷路のような歯間部にも抵抗なく挿入できるばかりか特殊連続多孔体の被圧縮弾性によって変形適合するので歯根陥窮部まで清掃可能である。加えて、形状復元性と弾性を有する歯間清掃部および軸部の材質によって従来の歯間ブラシのように金属疲労などによる変形破折が防止される。
【００２３】
また、図７に示すような軸部２に鼓形歯間空隙頬舌的断面形状と相似形になるような硬質スポンジ部７ｂ、軟質スポンジ部７ａを組み合わせ、数珠状に連続させた連続鼓形歯間空隙形状歯間清掃スポンジ７を、回転ストッパー３で軸方向に左右０度から左右４５度自由反復運動２２可能に回転自在な軸受け鞘部４で、図２に示すような手用歯間清掃器具の手用歯間清掃器具ヘッド部３１に固定した清掃スポンジを歯間乳頭退縮部位に挿入すると、その三角形の各頂点を両隣在歯の接触点とし、両端を隣接面歯周ポケット底とする三角形の形状に適合する角度に自動的に回転して清掃スポンジが鼓形歯間空隙に導かれる。
【００２４】
さらに、連続鼓形歯間空隙形状歯間清掃スポンジ７は、軟質スポンジ部７ａと硬質スポンジ部７ｂで構成されているので、硬質スポンジ部７ｂが隣接面歯周ポケット底部内部の歯垢を除去清掃する。この機構は、軸部２をスライド運動させる電動歯間清掃器具においても同様に有用であることは言うまでもない。
【００２５】
加えて、図３に示すように先端部と後端部を硬質スポンジ２４、中央部を軟質スポンジ２５で構成する歯間清掃スポンジは、図４に示すように、狭窄した鼓形歯間空隙に挿入すると、両端の比較的硬質な硬質スポンジ２４の摩擦抵抗を手指の感覚で感じ取り、鏡などを使用することなく、清掃スポンジ部が歯間部に的確に挿入されていることを確認ことができる。また、中央部の比較的軟質な軟質スポンジ２５は、歯牙（歯根）断面陥窮部３４によく適合して歯垢除去能率を高める。
【００２６】
このように、図３、図５、図６、図７、図８、図９に示す適度な弾性と形状復元性および可撓性を併せ持つ樹脂や金属などの軸部の先端部周囲に各種形態を変形させた被圧縮性の高い天然繊維素、天然ゴム、合成ゴム、あるいは合成樹脂などのスポンジ（連続多孔体）を接着あるいは溶着した歯間清掃スポンジを、スライド運動、回転運動あるいは回転スライド運動を発生する電動歯間清掃器具の運動軸や手用歯間清掃器具に装着して使用すれば、図３、図６、図９に示す形態の歯間清掃スポンジでは、歯垢を掻き出すと同時に軸部２の回転方向に従って歯垢を回転運動で頬側あるいは舌側に排出するとともに、図６、図９の歯間清掃スポンジでは、多重螺旋状（多重螺子状）、図３の歯間清掃スポンジでは、螺旋状（螺子状）の推進力によって狭窄した鼓形歯間空隙に対して歯間清掃スポンジの侵入を容易にするとともに、逆回転に電動歯間清掃器具を駆動すれば容易に歯間清掃スポンジを引く抜く手助けとなる。
【００２７】
また、図８に示す形態の歯間清掃スポンジでは、往復運動２３で掻き出した歯垢を連続カップ式歯間清掃スポンジ凹部８ｂに貯留しながら清掃可能であるので、不快感が減少させることができる。当然、図３、図５、図６、図７、図８、図９に示す歯間清掃スポンジの形状はそれぞれ単独でも清掃能力を高めるが、各種形状を組み合わせることによってさらにその能力を発揮する。
【００２８】
変形した発明においては、図１０に示すように、適度な弾性を有する被圧縮性の高い天然繊維素、天然ゴム、合成ゴム、あるいは合成樹脂などのファイバーブラシ２６ａを、先端部ファイバーブラシ２６ｂは、滑らかな丸みを持った円柱あるいは多角柱形状の外形になるように、スライド軸に接続した適度な弾性と形状復元性および可撓性を併せ持つ樹脂や金属などの軸部２に電着、接着あるいは溶着してあるので、歯間部に挿入する際に辺縁および乳頭歯肉を傷つけることを防止し、頬側歯肉側鼓形歯間空隙をガイドとして手用歯間清掃器具や電動歯間清掃器具の口腔挿入方向によって決まるファイバーブラシの軸方向を、軸部の適度な弾性と形状復元性および可撓性により変形し、鼓形歯間空隙の頬舌的貫通方向に導くと同時に、ファイバーブラシ部をスライド運動、回転運動あるいは回転スライド運動させると、複雑な歯根形状を有する迷路のような歯間部にも挿入するだけで、軸部が、鼓形歯間空隙の複雑な解剖学的形態に応じて適合変形するので、図４の歯間清掃スポンジと同様に変形することによって、過不足なくファイバーブラシ部を歯間部の歯面、歯肉および歯肉溝に圧接し、歯垢を除去清掃するとともに、形状復元性と弾性を有する軸部の材質によって変形破折を防止する。
【００２９】
尚、本発明の全体の形状、軸材や被圧縮性の高い天然繊維素、天然ゴム、合成ゴム、あるいは合成樹脂などのスポンジ（連続多孔体）の材質とおよび接着あるいは溶着方法、電動歯間清掃器具のスライド運動、回転運動、あるいは回転スライド運動などのメカニズムや手用歯間清掃器具の形状は、上述の図示例にのみ限定されるものではなく、本発明の要旨を逸脱しない範囲内において種々変更を加え得ることは勿論である。
【図面の簡単な説明】
【図１】本発明の一実施例を示す被圧縮性の高い天然繊維素、天然ゴム、合成ゴム、あるいは合成樹脂などのスポンジ（連続多孔体）歯間清掃スポンジを備える電動歯間清掃器具を示す図。
【図２】本発明の一実施例を示す被圧縮性の高い天然繊維素、天然ゴム、合成ゴム、あるいは合成樹脂などのスポンジ（連続多孔体）歯間清掃スポンジを備える手用歯間清掃器具を示す図。
【図３】弾性と形状復元性および可撓性を有する軸部に螺旋歯間清掃スポンジブラシを示す図。
【図４】弾性と形状復元性および可撓性を有する軸部に螺旋歯間清掃スポンジ変形状態を示す図。
【図５】弾性と形状復元性および可撓性を有する軸部に縦翼式歯間清掃スポンジブラシを示す図。
【図６】弾性と形状復元性および可撓性を有する軸部に螺旋縦翼式歯間歯間清掃スポンジブラシを示す図。
【図７】弾性と形状復元性および可撓性を有する軸部に鼓形歯間空隙形状に硬質、軟質特殊連続多孔体を組み合わせ数珠状に連続させた歯間清掃スポンジブラシを示す図。
【図８】弾性と形状復元性および可撓性を有する軸部にカップ形状の特殊連続多孔体を数珠状に連続させた歯間清掃スポンジブラシを示す図。
【図９】弾性と形状復元性および可撓性を有する軸部にヒトデ形状の特殊連続多孔体を数珠状にランダム連続させた歯間清掃スポンジブラシを示す図。
【図１０】弾性と形状復元性および可撓性を有する軸部を備えるファイバーブラシを示す図。
【符号の説明】
１、歯間清掃スポンジ
１ａ、螺旋歯間清掃スポンジ先端部
１ｂ、螺旋歯間清掃スポンジ凸部
１ｃ、螺旋歯間清掃スポンジ凹部
２、軸部
３、軸部、回転ストッパー
４、軸受け鞘部
５ａ、縦翼式歯間清掃スポンジ先端部
５ｂ、縦翼式歯間清掃スポンジ翼根部
５ｃ、縦翼式歯間清掃スポンジ翼端部
６ａ、螺旋縦翼式歯間清掃スポンジ先端部
６ｂ、螺旋縦翼式歯間清掃スポンジ翼根部
６ｃ、螺旋縦翼式歯間清掃スポンジ翼端部
７、連続鼓形歯間空隙形状歯間清掃スポンジ
７ａ、軟質スポンジ部
７ｂ、硬質スポンジ部
８、連続カップ式歯間清掃スポンジ
８ａ、連続カップ式歯間清掃スポンジ凸部
８ｂ、連続カップ式歯間清掃スポンジ凹部
９、連続ランダム配列縦翼式歯間清掃スポンジ先端部
９ａ、連続ランダム配列縦翼式歯間清掃スポン翼端部
９ｂ、連続ランダム配列縦翼式歯間清掃スポンジ翼根部
１１、電動歯間清掃器具保持部
１２、電動歯間清掃器具本体
１３、電動歯間清掃器具スイッチ部
２１、回転運動
２２、自由反復運動
２３、往復運動
２４、硬質スポンジ
２５、軟質スポンジ
２６ａ、ファイバーブラシ
２６ｂ、先端部ファイバーブラシ
３０、手用歯間清掃器具保持部
３１、手用歯間清掃器具ヘッド部
３３、歯牙（歯根）断面
３４、歯牙（歯根）断面陥窮部
【図１】
2004041260.tif 000003
【図２】
2004041260.tif 000004
【図３】
2004041260.tif 000005
【図４】
2004041260.tif 000006
【図５】
2004041260.tif 000007
【図６】
2004041260.tif 000008
【図７】
2004041260.tif 000009
【図８】
2004041260.tif 000010
【図９】
2004041260.tif 000011
【図１０】
2004041260.tif 000012
【手続補正書】
【提出日】平成15年7月8日(2003.7.8)
【手続補正１】
【補正対象書類名】明細書
【補正対象項目名】全文
【補正方法】変更
【補正の内容】
【発明の詳細な説明】
【特許請求の範囲】
【請求項１】特願２０００−３８０６８６、特願２００１−２３０２０７の様なスライド運動、回転運動、あるいは回転スライド運動を発生する電動歯間清掃器具の運動軸、あるいは手用歯間清掃器具に接続し歯間部の歯面、歯肉および歯肉溝を清掃する歯間ブラシであって、
前記歯間ブラシの軸部の断面形状をテーパー状、逆テーパー状、あるいは細部と太部を設けることによって任意の部位をより応力変形の高い形状にした適度な弾性と形状復元性および可撓性を併せ持つ樹脂や部分的に焼きいれあるいは焼きなましすることによって弾力性を発揮する部位を任意に調節した金属などで構成することによって、
頬や舌あるいは口唇などで、手用歯間清掃器具や電動歯間清掃器具の口腔挿入方向が解剖学的制約を受け、歯間清掃部の軸方向と、鼓形歯間空隙の頬舌的貫通方向を一致させることが困難な場合も、頬側歯肉側鼓形歯間空隙、あるいは舌側（口蓋側）歯肉側鼓形歯間空隙に位置させて、頬舌方向に軽く圧入すれば、適度な弾性と形状復元性および可撓性を併せ持つ樹脂や金属などの軸部が適度な弾性をもって先端部分が変形しガイドの役目をすることによって、容易に挿入を可能となり、
さらに、歯間部に挿入後、歯間清掃部をスライド運動、回転運動あるいは回転スライド運動させると、複雑な歯根形状を有する迷路のような歯間部にも挿入するだけで、軸部が、鼓形歯間空隙の複雑な解剖学的形態に応じて適合変形することによって、過不足なく清掃部表面を歯間部の歯面、歯肉および歯肉溝に圧接し、表面の微細な凹凸が同部の歯垢を除去清掃するとともに、形状復元性と弾性を有する歯間清掃部および軸部の材質によって変形破折を防止したことを特徴とする歯間清掃器具。
【請求項２】請求項１に記載の歯冠清掃器具の軸部の先端部を包み込むように、先端が滑らかな丸みを持った円柱あるいは多角柱形状の被圧縮性の高い天然繊維素、合成繊維、前記繊維で構成された不織布、天然ゴム、合成ゴム、あるいは合成樹脂などのスポンジ（特殊連続多孔体）を、接着あるいは溶着した歯間清掃部と、
　を含み、
前記、歯間清掃部を歯間部に挿入する場合、軸先端部を被覆する歯間清掃部が、歯間部に挿入する際に辺縁および乳頭歯肉を傷つけることを防止し、
頬や舌あるいは口唇などによって、手用歯間清掃器具や電動歯間清掃器具の口腔挿入方向が解剖学的制約を受け、歯間清掃部の軸方向と、鼓形歯間空隙の頬舌的貫通方向を一致させることが困難な場合も、滑らかな丸みを持った先端部を、頬側歯肉側鼓形歯間空隙、あるいは舌側（口蓋側）歯肉側鼓形歯間空隙に位置させて、頬舌方向に軽く圧入すれば、適度な弾性と形状復元性および可撓性を併せ持つ樹脂や金属などの軸部と歯間清掃スポンジ部が適度な弾性をもって変形適合することによって、容易に挿入を可能とし、
さらに、歯間部に挿入後、歯間清掃部をスライド運動、回転運動あるいは回転スライド運動させると、複雑な歯根形状を有する迷路のような歯間部にも挿入するだけで、軸部と歯間清掃部が、鼓形歯間空隙の複雑な解剖学的形態に応じて適合変形することによって、過不足なく清掃部表面を歯間部の歯面、歯肉および歯肉溝に圧接し、表面の微細な凹凸が同部の歯垢を除去清掃するとともに、形状復元性と弾性を有する歯間清掃部および軸部の材質によって変形破折を防止したことを特徴とする歯間清掃器具。
【請求項３】請求項１及び請求項２に加えて、請求項１に記載の手用歯間清掃器具の保持部、あるいはスライド運動する電動器具のスライド軸に勘合した鞘状のジョイント部と、
前記、ジョイント部の鞘に勘合し、軸回転方向に左右０度から左右４５度回転自在に装着した適度な弾性と形状復元性および可撓性を併せ持つ軸部と、
その軸部先端を包み込むように、長軸断面形状を、歯間乳頭退縮による鼓形歯間空隙の状況に適合した、頂点を両隣在歯の接触点とし、底辺は両端を隣接面歯周ポケット底とし、乳頭歯肉の豊隆に適合するように弓状に窪んだ三角柱、または、先端部から後端部にかけテーパー状の三角錐の外形になるように比較的軟質な被圧縮性の高い天然繊維素、天然ゴム、合成ゴム、あるいは合成樹脂などのスポンジ（連続多孔体）で成型し、その三角柱の長軸中心から長軸に平行な三辺に向けて放射状（矢尻状）に配置した比較的硬質な被圧縮性の高い天然繊維素、天然ゴム、合成ゴム、あるいは合成樹脂などのスポンジ（連続多孔体）で構成した歯間清掃スポンジ部か、
前記、歯間清掃スポンジの厚みを０．１ミリから２ミリの板状のピースとした歯間清掃フィン中心部を同一角度で連続的に数珠状に配列し、各フィンを連ねた外形が三角柱、または、先端部から後端部にかけテーパー状の三角錐の外形になる歯間清掃スポンジ部と、
を含み、
前記、歯間清掃スポンジ部を装着した手用歯間清掃器具および電動歯間器具を鼓形歯間空隙に向けて任意の方向から挿入するだけで、挿入方向にかかわらず歯牙接触点を頂点とし、隣接歯の近遠心遊離歯肉を底辺とする二等辺三角形の外形を呈する鼓形歯間空隙に適合するように自動的に回転して歯間清掃スポンジ部を挿入可能とし、軸中心から長軸に平行な三辺に向けて放射状（矢尻状）に配置した比較的硬質な天然繊維素、天然ゴム、合成ゴム、あるいは合成樹脂などのスポンジ（連続多孔体）が隣接面歯周ポケット底内部の清掃を可能としたことを特徴とする歯間清掃器具。
【請求項４】請求項１及び請求項２に加えて、請求項１に記載の清掃スポンジの長軸面に、長軸方向に螺旋状（螺子状）の溝を形成し、軸部を回転運動させることによって意図的に歯垢を頬側あるいは舌側の一定方向に排出し、電動歯間清掃器具軸部の回転運動方向を随時変換することによって、螺子状の溝は、その推進力により狭窄した鼓形歯間空隙に対して歯間清掃スポンジの侵入を容易にするとともに、逆回転に電動歯間清掃器具を駆動すれば容易に歯間清掃スポンジを引く抜く手助けとなる歯間清掃スポンジ部を備えることを特徴とする歯間清掃器具。
【請求項５】請求項１及び請求項２に加えて、請求項１に記載の清掃スポンジの長軸断面形状を、星形（ヒトデ形）、歯車形、あるいは星形（ヒトデ形）、歯車形の突起部頂点を軸回転方向に対して一定に渦巻き状に回転変形させた形状になるように、軸長軸方向に対して平行か、あるいは多重螺旋状に複数の溝を形成する事によって、軸の回転で歯垢を掻き出すとともに、多重螺旋（多重螺子状）の推進力により狭窄した鼓形歯間空隙に対して歯間清掃スポンジ部の侵入を容易にするとともに、逆回転に電動歯間清掃器具を駆動すれば容易に歯間清掃スポンジ部を引く抜く手助けとなる歯間清掃スポンジ部を備えることを特徴とする歯間清掃器具。
【請求項６】請求項１及び請求項２に加えて、請求項１に記載の清掃スポンジの長軸断面形状を、星形（ヒトデ形）、歯車形、あるいは星形（ヒトデ形）、歯車形の突起部頂点を軸回転方向に対して一定に回転変形させた断面形状の厚さ０．１ミリから２ミリの被圧縮性の高い被圧縮性の高い天然繊維素、天然ゴム、合成ゴム、あるいは合成樹脂などのスポンジ（連続多孔体）を、各星形（ヒトデ形）、歯車形の突起部頂点が近接するそれぞれのピースでランダムにオフセットするか、あるいは、軸に対して一定角度で連続的に変異（軸方向に対して多重螺旋の溝を形成）するピースを、軸部に数珠状に接着あるいは溶着した歯間清掃スポンジ部を備えることを特徴とする歯間清掃器具。
【請求項７】請求項１、請求項２および請求項５に加えて、請求項１および請求項４に記載の各種断面形状のスポンジ部表面に、軸方向に対して直角方向に複数の溝を形成するか、外周の形状が多角形あるいは円形のカップ型のピースを軸部に数珠状に均等配置し、軸方向にスライド運動することによって歯垢を、溝の内部あるいはカップ部分の内面に歯垢を捕らえ、さらに頬側あるいは舌側に排出する歯間清掃スポンジ部を備えることを特徴とする歯間清掃器具。
【請求項８】請求項１に加えて、請求項２から請求項５に記載の歯間清掃スポンジ部の先端部、中央部、後端部でおのおのの同一の被圧縮性、あるいは異なった被圧縮性を有するように被圧縮性の高い天然繊維素、天然ゴム、合成ゴム、あるいは合成樹脂などのスポンジ（連続多孔体）を移行的にあるいは部位別に多重成型し、請求項５および請求項６に記載の清掃スポンジ部では、先端のピースと後端のピースを中央のピースに比較してより硬質な被圧縮性の高い天然繊維素、天然ゴム、合成ゴム、あるいは合成樹脂などのスポンジ（連続多孔体）で構成することによって、歯間挿入時に、頬側、舌側あるいは両側に貫通突出したより硬質なスポンジの反発抵抗により、手指の感覚で清掃スポンジ部が歯間部に的確に挿入されていることを感じ取ることができるだけでなく、軟質なピースは歯根陥窮部によく適合して歯垢除去能率を高めたことを特徴とする歯間清掃スポンジ部を備えた歯間清掃器具。
【請求項９】請求項１に加えて、請求項１に記載の軸部を構成する樹脂や金属などの表面をカバーした樹脂の断面形状を円形、多角形、星形とするか、あるいは縦状断面の形状を波形、凸凹形とすることによって、前記軸部に単一の長さのナイロンなどのバイルを静電植毛加工したブラシ部の形状を、自在に再現したことを特徴とする歯間清掃器具。
【請求項１０】請求項１及び請求項９に加えて、請求項１及び請求項９に記載の軸部にナイロンなどのバイルを静電植毛加工する際に被植毛部位をあらかじめマスキングして静電植毛加工することによってブラシ部の植毛形状を、自在に再現したことを特徴とする歯間清掃器具。
【発明の詳細な説明】
【０００１】
【発明の属する技術野】
歯牙表面と歯周組織に付着するプラークは虫歯と歯槽膿漏の原因である細菌の温床となり歯牙喪失の二大原因である。本発明は、特に歯周病の原因となる歯間部のプラークコントロールに最適な口腔清掃用具に関するものである。
【０００２】
【従来の技術】
一般に、歯牙喪失の二大疾患は、カリエスと歯周病であるが、特に歯周病に罹患して歯肉退縮を起こしているケースでは、一般的な歯ブラシによる歯間部のプラークコントロールには限界があり、そのため歯間ブラシなどの口腔清掃補助具が広く使用されている。その代表的な清掃補助器具歯間ブラシは金属よじり線に同心円状にナイロンブラシを巻きつけて配列したものであるが、歯間部挿入時に先端部が歯肉に当たると歯肉を傷つけることも多く、歯牙に先端部の金属があたると違和感を発現し、反復使用によって金属よじり線は金属疲労によって清掃作業中に破損する危険性が高く、日常のオーラルケアに定着させるためには数々の問題があった。さらに、挿入方向に適合す様に清掃ブラシ部分にプレカーブを付与すると、金属線自体に形状復元性がないために歯根陥窮部位などに磨き残し部位が発生する危険性があった。
【０００３】
【発明が解決しようとする課題】
前述の如く、歯間部のプラークコントロールの有用性は高い。しかるに、口腔清掃補助具を用いて歯間部の口腔清掃のために鼓形歯間空隙に歯間清掃器具を挿入する場合に、清掃部先端で歯肉を傷つけることなく、同時に疼痛や違和感を発現することなく容易に挿入可能であるとともに、複雑な歯根形状を有する迷路のような挿入方向に規制のある歯間部にも抵抗なく挿入するだけで適合し、歯根陥窮部にも磨きのこしがなく、さらに、上記清掃作業中に快適で破損することが少ない歯間清掃補助具を提供することである。
【０００４】
【課題を解決するための手段および効果】
本発明は、上記目的を達成するためになされたものであり、第一の発明は、歯間ブラシの軸部の断面形状をテーパー状、逆テーパー状、あるいは細部と太部を設けることによって任意の部位をより応力変形の高い形状にした適度な弾性と形状復元性および可撓性を併せ持つ樹脂や部分的に焼きいれあるいは焼きなましすることによって弾力性を発揮する部位を任意に調節した金属などで構成することによって、特願２０００−３８０６８６、特願２００１−２３０２０７の様なスライド運動、回転運動、あるいは回転スライド運動を発生する電動歯間清掃器具の運動軸、あるいは手用歯間清掃器具に接続し歯間部の歯面、歯肉および歯肉溝を清掃する歯間ブラシである。
　このような軸部を持つ歯間ブラシによって頬や舌あるいは口唇などで、手用歯間清掃器具や電動歯間清掃器具の口腔挿入方向が解剖学的制約を受け、歯間清掃部の軸方向と、鼓形歯間空隙の頬舌的貫通方向を一致させることが困難な場合も、頬側歯肉側鼓形歯間空隙、あるいは舌側（口蓋側）歯肉側鼓形歯間空隙に位置させて、頬舌方向に軽く圧入すれば、適度な弾性と形状復元性および可撓性を併せ持つ樹脂や金属などの軸部が適度な弾性をもって先端部分が変形しガイドの役目をすることによって、容易に挿入を可能となり、
さらに、歯間部に挿入後、歯間清掃部をスライド運動、回転運動あるいは回転スライド運動させると、複雑な歯根形状を有する迷路のような歯間部にも挿入するだけで、軸部が、鼓形歯間空隙の複雑な解剖学的形態に応じて適合変形することによって、過不足なく清掃部表面を歯間部の歯面、歯肉および歯肉溝に圧接し、表面の微細な凹凸が同部の歯垢を除去清掃するとともに、形状復元性と弾性を有する歯間清掃部および軸部の材質によって変形破折を防止しすることが可能となる。
第二の発明は、第一の発明に記載の歯冠清掃器具の軸部の先端部を包み込むように、先端が滑らかな丸みを持った円柱あるいは多角柱形状の被圧縮性の高い天然繊維素、合成繊維、前記繊維で構成された不織布、天然ゴム、合成ゴム、あるいは合成樹脂などのスポンジ（特殊連続多孔体）を、接着あるいは溶着した歯間ブラシを、特願２０００−３８０６８６、特願２００１−２３０２０７の様なスライド運動、回転運動あるいは回転スライド運動を発生する電動歯間清掃器具の運動軸、あるいは手用歯間清掃器具の保持部に接続した歯間清掃スポンジを備える歯間清掃器具である。この弾力性を有する被圧縮性の高い天然繊維素、天然ゴム、合成ゴム、あるいは合成樹脂などのスポンジ（連続多孔体）によって、清掃スポンジ部を歯間部に挿入するだけでスポンジ表面各種形状は歯面、歯肉および歯肉溝に圧接され、天然繊維素、天然ゴム、合成ゴム、あるいは合成樹脂などのスポンジ（連続多孔体）の表面の微細な凹凸によって同部の清掃が可能となる。
【０００５】
また、軸先端部を弾性のある被圧縮性の高い天然繊維素、天然ゴム、合成ゴム、あるいは合成樹脂などのスポンジ（連続多孔体）で被覆してあるので、歯間部に挿入する際に辺縁および乳頭歯肉を傷つけることを防止し、頬舌的に鼓形歯間空隙に対する軸挿入方向に制約がある場合も、適度な弾性と形状復元性および可撓性を併せ持つ軸部とともに歯間清掃部の意図的に設計されたより弾性（変形性）の高い部位が適度な弾性をもって変形するので容易に歯間清掃部への挿入が可能となり、さらに、複雑な歯根形状を有する迷路のような歯間部にも抵抗なく挿入するだけで歯間清掃部が被圧縮性の高い天然繊維素、天然ゴム、合成ゴム、あるいは合成樹脂などのスポンジ（連続多孔体）の弾力性によって変形適合するので歯根陥窮部まで清掃可能である。加えて、形状復元性と弾性を有する歯間清掃部および軸部の材質によって従来の歯間ブラシのように金属疲労などによる変形破折を防止することが可能となる。
【０００６】
この電動歯間清掃器具によって歯肉の炎症による腫脹があるケースや直視不可能な臼歯部、特に最後臼歯遠心部や歯間部など各種清掃ブラシや合成樹脂などで成型した清掃チップを装着した口腔清掃部の挿入方向に制約が生じる場合においても、無理のない任意の方向から歯間清掃スポンジの滑らかな丸みを持った先端部を、頬側歯肉側鼓形歯間空隙、あるいは舌側（口蓋側）歯肉側鼓形歯間空隙に位置させて、頬舌方向に軽く圧入し、目的部位に到達させ、保持するだけでプラークコントロールが可能となるので正確な歯面清掃とともに歯間乳頭歯肉の損傷防止に役立つばかりか、歯間清掃スポンジや清掃チップ自体、あるいは口腔清掃部分と本体接合部分が不必要な圧力を受けることが無くなるので破損を防止し耐久性を向上させることができる。
【０００７】
第三の発明は、一般的に歯間乳頭退縮の大きいケースでは、鼓形歯間空隙の形状は頂点を両隣在歯の接触点とし、底辺をその両端を隣接面歯周ポケット底とする三角形の外形となるので、この形状に相似する断面形態の中心部から放射状に鼓形歯間空隙形状の三角形の頂点に向けて矢尻状に配置した比較的硬質な被圧縮性の高い天然繊維素、天然ゴム、合成ゴム、あるいは合成樹脂などのスポンジ（連続多孔体）で構成した歯間清掃スポンジ部か、あるいは、その歯間清掃スポンジを厚み０．１ミリから２ミリの板状のピースとした歯間清掃フィンの中心部を同一角度で連続的に数珠状に軸通した歯間清掃スポンジ部を適度な弾性と形状復元性および可撓性を併せ持つ軸部に接着あるいは溶着し、その軸部と鞘状に勘合し軸方向に左右０度から左右４５度回転自在に、手用歯間清掃器具の保持部、あるいはスライド運動する電動器具のスライド軸に勘合した歯間清掃スポンジ部を備える歯間清掃器具である。
【０００８】
この歯間清掃器具によって、手用歯間清掃器具の保持部および電動器具を任意の挿入角度と方向から歯間部に挿入するだけで、歯牙接触点を頂点として隣接歯の近遠心遊離歯肉を底辺とする二等辺三角形の鼓形歯間空隙に適合した角度に歯間清掃スポンジ部が自動的に回転適合して鼓形歯間空隙を間隙無く満たすように挿入される。この種の形状の歯間清掃スポンジでは、テーパー状に先端部から後端部にかけて板状のピースとした歯間清掃フィンの外形を移行的に大きくしてやれば、より歯間部挿入操作が容易になる。加えて、鼓形歯間空隙に密着圧入した歯間清掃フィンの被圧縮性の差異によって、比較的硬質なスポンジなどの特殊連続多孔体が隣接面歯周ポケット底部内部や両隣在歯の接触点の歯垢を清掃することを可能とする。
【０００９】
第四の発明は、第一の発明の歯間清掃スポンジ長軸面に螺旋状の溝を形成した歯間清掃スポンジを備える歯間清掃器具である。電動歯間清掃器具軸部の回転運動によって長軸面の螺旋形の溝は、歯垢を掻き出すとともに頬側あるいは舌側の一定方向へ意図的に排出することが可能とするだけではなく、電動歯間清掃器具軸部の回転運動方向を随時変換することによって、螺子状の溝は推進力を発揮するので狭窄した鼓形歯間空隙に対して歯間清掃スポンジの侵入を容易にするとともに、逆回転に電動歯間清掃器具を駆動すれば容易に歯間清掃スポンジを引く抜く手助けとなる
【００１０】
第五の発明は、第一の発明の清掃スポンジ部の長軸断面形状を、星形（ヒトデ形）、歯車形、あるいは星形（ヒトデ形）、歯車形の突起部頂点を軸回転方向に対して一定に渦巻き状に回転変形させた形状になるように、軸長軸方向に対して平行か、あるいは多重螺旋状に複数の溝を形成した歯間清掃器具である。
【００１１】
この歯間清掃器を歯間部に挿入の上回転させると、軸長軸方向に対して平行の溝を形成した形状のものでは、星形（ヒトデ形）、歯車形、あるいは星形（ヒトデ形）、歯車形の突起部頂点を軸回転方向に対して一定に渦巻き状に回転変形させた断面形状により、溝の底部に歯垢がかき集められ、多重螺旋状に複数の溝を形成する形状の物では、かき集められた歯垢は、さらに電動歯間清掃器具軸部の回転運動によって歯垢を掻き出すと同時に頬側あるいは舌側の一定方向へ意図的に排出することが可能となる。また、電動歯間清掃器具軸部の回転運動方向を随時変換することによって、第三の発明と同様に、多重螺旋状（多重螺子状）の推進力によって狭窄した鼓形歯間空隙に対して歯間清掃スポンジの侵入を容易にするとともに、逆回転に電動歯間清掃器具を駆動すれば容易に歯間清掃スポンジを引き抜く手助けとなる
【００１２】
第六の発明は、第一の発明の歯間清掃スポンジを星形（ヒトデ形）、歯車形、あるいは星形（ヒトデ形）、歯車形の突起部頂点を軸回転方向に対して一定に回転変形させた断面形状で、厚さ０．１ミリから２ミリの被圧縮性の高い天然繊維素、天然ゴム、合成ゴム、あるいは合成樹脂などのスポンジ（連続多孔体）のおのおのの同一の被圧縮性、あるいは異なった被圧縮性を有するピースを、ランダムにオフセットするか、あるいは、軸に対して一定角度で変異（軸方向に対してステップ状に複数の螺旋形の溝を形成）するよう軸部に数珠状に接着あるいは溶着したことを特徴とする歯間清掃スポンジである。
【００１３】
この歯間清掃スポンジ部を歯間部に挿入の上、保持するだけで軸回転方向に対してランダムに配列した複数の各星形（ヒトデ形）、歯車形の突起部頂点が歯垢を掻き出し、その基底部に歯垢を蓄える。また軸に対して一定角度で変異（軸方向に対してステップ状に複数の螺旋形の溝を形成）するよう配列した歯間清掃部では、電動歯間清掃器具の回転力を利用して、意図的に歯垢を頬側あるいは舌側の一定方向に排出することを可能とするだけでなく、第三、第四の発明と同様に、多重螺旋状（多重螺子状）の推進力によって狭窄した鼓形歯間空隙に対して歯間清掃スポンジの侵入を容易にするとともに、逆回転に電動歯間清掃器具を駆動すれば容易に歯間清掃スポンジを引く抜く手助けとなる。
【００１４】
第七の発明は、第一の発明および第四の発明の各種断面形状のスポンジ部表面に、軸方向に対して垂直方向に複数の溝を形成するか、外周の形状が多角形あるいは円形のカップ型で、おのおのの同一の被圧縮性、あるいは異なった被圧縮性を有するピースを軸部に数珠状に均等配置した歯間清掃スポンジ部を備えることを特徴とする歯間清掃器具である。
【００１５】
この歯間清掃スポンジ部を、電動歯間清掃器具や手用器具を用いて軸方向にスライド運動することによって、溝の内部あるいはカップ部分の内面に歯垢を捕らえ、さらに頬側あるいは舌側に排出することが可能となる。
【００１６】
第八の発明は、第一の発明から第四の発明の歯間清掃スポンジ部を先端部、中央部、後端部で、異なった被圧縮性を有するように、天然繊維素、天然ゴム、合成ゴム、あるいは合成樹脂などのスポンジ（連続多孔体）を移行的にあるいは部位別に多重成型したものか、第五の発明および第六の発明の先端のピース、後端のピース、中央のピースを異なった被圧縮性を有する天然繊維素、天然ゴム、合成ゴム、あるいは合成樹脂などのスポンジ（連続多孔体）で構成する歯間清掃スポンジである。
【００１７】
一例として、先端部分と後端部分を比較的硬質に、中央部分を比較的軟質な被圧縮性の高い天然繊維素、天然ゴム、合成ゴム、あるいは合成樹脂などのスポンジ（連続多孔体）で構成すれば、歯間部挿入時に両端の比較的硬質な部位の摩擦抵抗を手指の感覚で感じ取り、鏡などを使用せずに、清掃スポンジ部が歯間部に的確に挿入されていることを確認ことができる。また、中央部の比較的軟質部位、あるいは軟質なピースは、歯根陥窮部によく適合して歯垢除去能率を高める。
【００１８】
第九の発明は、第一の発明の軸部を構成する樹脂や金属などの表面をカバーした樹脂の断面形状を円形、多角形、星形とするか、あるいは縦状断面の形状を波形、凸凹形とすることによって、前記軸部に単一の長さのナイロンなどのバイルを静電植毛加工したブラシ部の形状を、自在に再現したことを特徴とする歯間清掃器具である。
このような軸部の形状は、単一の長さのナイロンなどのバイルが静電植毛加工されたブラシ部の外形形状を相似形に再現することになるので過不足なくブラシを歯間部の歯面、歯肉および歯肉溝に適合圧接し、歯垢を効率よく除去清掃する。
【００１９】
第十の発明は、第一の発明および第９の発明に加えて、軸部にナイロンなどのバイルを静電植毛加工する際に被植毛部位をあらかじめマスキングして静電植毛加工したことを特徴とする歯間清掃器である。これにより植毛される部位は自由に設計することができるので、螺旋状、並列形状など回転、スライド、あるいは回転スライド運動などブラッシング方法に従って最適な植毛形状を自由に再現することは可能となる。
【００２０】
【発明の実施の形態】
以下、本発明の実施の形態を図示例と共に説明する。
図３〜図９は発明を実施する形態の一例であって、図中、図と同一の符号を付した部分は同一物を表わしており、実際に口腔内で使用する場合の基本的な構成は図１および図２示す従来のものと同様であるが、本図示例の特徴とするところは、図１示すような電動歯間清掃器具や図２に示す手用歯間ブラシの金属よじり線とナイロン繊維等で構成する清掃ブラシ部分を適度な弾性と形状復元性および可撓性のある金属あるいは樹脂などとスポンジなどの特殊連続多孔で作成した点にある。
【００２１】
図１に示す如く、電動歯間清掃器具の軸部２に接着あるいは溶着した歯間清掃スポンジ部１を歯間部に挿入して電動歯間清掃器具保持部１１をその位置で維持するだけで電動歯間清掃器具の回転運動２１、往復運動２３、あるいは回転スライド運動で歯間部の歯垢がスポンジ表面各種形状と歯面、歯肉および歯肉溝に圧接され天然繊維素、天然ゴム、合成ゴム、あるいは合成樹脂などのスポンジ（連続多孔体）の表面の微細な凹凸によって自動的に除去清掃される。
【００２２】
また、図３に示す螺旋歯間清掃スポンジを電動歯間清掃器具が稼動状態で歯間部に挿入すると弾性のあるスポンジで被覆してある螺旋歯間清掃スポンジ先端部１ａが歯間部に挿入する際に辺縁および乳頭歯肉を傷つけることを防止し、適度な弾性と形状復元性および可撓性を併せ持つ樹脂や金属などの軸部２によって、頬舌的に鼓形歯間空隙に対する軸挿入方向に制約がある場合、軸部２とともに歯間清掃スポンジ部１が適度な弾性をもって図４に示すように変形するので複雑な歯根形状を有する迷路のような歯間部にも抵抗なく挿入できるばかりか特殊連続多孔体の被圧縮弾性によって変形適合するので歯根陥窮部まで清掃可能である。
加えて、形状復元性と弾性を有する歯間清掃部および軸部の材質によって従来の歯間ブラシのように金属疲労などによる変形破折が防止される。
【００２３】
また、図７に示すような軸部２に鼓形歯間空隙頬舌的断面形状と相似形になるような硬質スポンジ部７ｂ、軟質スポンジ部７ａを組み合わせ、数珠状に連続させた連続鼓形歯間空隙形状歯間清掃スポンジ７を、回転ストッパー３で軸方向に左右０度から左右４５度自由反復運動２２可能に回転自在な軸受け鞘部４で、図２に示すような手用歯間清掃器具の手用歯間清掃器具ヘッド部３１に固定した清掃スポンジを歯間乳頭退縮部位に挿入すると、その三角形の各頂点を両隣在歯の接触点とし、両端を隣接面歯周ポケット底とする三角形の形状に適合する角度に自動的に回転して清掃スポンジが鼓形歯間空隙に導かれる。
【００２４】
さらに、連続鼓形歯間空隙形状歯間清掃スポンジ７は、軟質スポンジ部７ａと硬質スポンジ部７ｂで構成されているので、硬質スポンジ部７ｂが隣接面歯周ポケット底部内部の歯垢を除去清掃する。この機構は、軸部２をスライド運動させる電動歯間清掃器具においても同様に有用であることは言うまでもない。
【００２５】
加えて、図３に示すように先端部と後端部を硬質スポンジ２４、中央部を軟質スポンジ２５で構成する歯間清掃スポンジは、図４に示すように、狭窄した鼓形歯間空隙に挿入すると、両端の比較的硬質な硬質スポンジ２４の摩擦抵抗を手指の感覚で感じ取り、鏡などを使用することなく、清掃スポンジ部が歯間部に的確に挿入されていることを確認ことができる。また、中央部の比較的軟質な軟質スポンジ２５は、歯牙（歯根）断面陥窮部３４によく適合して歯垢除去能率を高める。
【００２６】
このように、図３、図５、図６、図７、図８、図９に示す適度な弾性と形状復元性および可撓性を併せ持つ樹脂や金属などの軸部の先端部周囲に各種形態を変形させた被圧縮性の高い天然繊維素、天然ゴム、合成ゴム、あるいは合成樹脂などのスポンジ（連続多孔体）を接着あるいは溶着した歯間清掃スポンジを、スライド運動、回転運動あるいは回転スライド運動を発生する電動歯間清掃器具の運動軸や手用歯間清掃器具に装着して使用すれば、図３、図６、図９に示す形態の歯間清掃スポンジでは、歯垢を掻き出すと同時に軸部２の回転方向に従って歯垢を回転運動で頬側あるいは舌側に排出するとともに、図６、図９の歯間清掃スポンジでは、多重螺旋状（多重螺子状）、図３の歯間清掃スポンジでは、螺旋状（螺子状）の推進力によって狭窄した鼓形歯間空隙に対して歯間清掃スポンジの侵入を容易にするとともに、逆回転に電動歯間清掃器具を駆動すれば容易に歯間清掃スポンジを引く抜く手助けとなる。
【００２７】
また、図８に示す形態の歯間清掃スポンジでは、往復運動２３で掻き出した歯垢を連続カップ式歯間清掃スポンジ凹部８ｂに貯留しながら清掃可能であるので、不快感が減少させることができる。当然、図３、図５、図６、図７、図８、図９に示す歯間清掃スポンジの形状はそれぞれ単独でも清掃能力を高めるが、各種形状を組み合わせることによってさらにその能力を発揮する。
【００２８】
変形した発明においては、図１０に示すように、適度な弾性を有する被圧縮性の高い天然繊維素、天然ゴム、合成ゴム、あるいは合成樹脂などのファイバーブラシ２６ａを、先端部ファイバーブラシ２６ｂは、滑らかな丸みを持った円柱あるいは多角柱形状の外形になるように、スライド軸に接続した適度な弾性と形状復元性および可撓性を併せ持つ樹脂や金属などの軸部２に電着、接着あるいは溶着してあるので、歯間部に挿入する際に辺縁および乳頭歯肉を傷つけることを防止し、頬側歯肉側鼓形歯間空隙をガイドとして手用歯間清掃器具や電動歯間清掃器具の口腔挿入方向によって決まるファイバーブラシの軸方向を、軸部の適度な弾性と形状復元性および可撓性により変形し、鼓形歯間空隙の頬舌的貫通方向に導くと同時に、ファイバーブラシ部をスライド運動、回転運動あるいは回転スライド運動させると、複雑な歯根形状を有する迷路のような歯間部にも挿入するだけで、軸部が、鼓形歯間空隙の複雑な解剖学的形態に応じて適合変形するので、図４の歯間清掃スポンジと同様に変形することによって、過不足なくファイバーブラシ部を歯間部の歯面、歯肉および歯肉溝に圧接し、歯垢を除去清掃するとともに、形状復元性と弾性を有する軸部の材質によって変形破折を防止する。
【００２９】
さらに図１に示すスポンジブラシは、図１１に示すスポンジブラシのように軸を軸断面細（応力変形）部４０と太い部分に分けることによって軸断面細（応力変形）部４０はより応力変形を受けることになるので、一層外力により変形することになり、任意の設定部位でブラシ全体を変形させることが可能となる。
【００３０】
さらにこの発明を発展させれば、図１２に示すように軸縦状断面に軸断面細部３７と軸断面太部３８を設け、等長のナイロンバイル３９を静電植毛加工すれば、ナイロンブラシ部の外形が軸部と相似形の任意のブラシ外形を設定することができる。加えて、図１３に示すように軸断面４１を星形、あるいは多角形などに設定することによって、やはり同様に静電植毛加工される等長ナイロンバイル３９によって、ブラシ部の断面形状は任意に設定することができる。また、ブラシ部の植毛位置は、図１４に示すように軸部２の植毛加工以外をマスキング部３５とし、接着剤塗布部３６に静電植毛加工すれば自在にナイロンバイル植毛加工位置を設定できるので全体の植毛の流れを螺旋状、ポイント（ドット）状など自在に設定することも可能となる。
【００３１】
尚、本発明の全体の形状、軸材や被圧縮性の高い天然繊維素、天然ゴム、合成ゴム、あるいは合成樹脂などのスポンジ（連続多孔体）の材質とおよび接着あるいは溶着方法、電動歯間清掃器具のスライド運動、回転運動、あるいは回転スライド運動などのメカニズムや手用歯間清掃器具の形状は、上述の図示例にのみ限定されるものではなく、本発明の要旨を逸脱しない範囲内において種々変更を加え得ることは勿論である。
【図面の簡単な説明】
【図１】本発明の一実施例を示す被圧縮性の高い天然繊維素、天然ゴム、合成ゴム、あるいは合成樹脂などのスポンジ（連続多孔体）歯間清掃スポンジを備える電動歯間清掃器具を示す図。
【図２】本発明の一実施例を示す被圧縮性の高い天然繊維素、天然ゴム、合成ゴム、あるいは合成樹脂などのスポンジ（連続多孔体）歯間清掃スポンジを備える手用歯間清掃器具を示す図。
【図３】弾性と形状復元性および可撓性を有する軸部に螺旋歯間清掃スポンジブラシを示す図。
【図４】弾性と形状復元性および可撓性を有する軸部に螺旋歯間清掃スポンジ変形状態を示す図。
【図５】弾性と形状復元性および可撓性を有する軸部に縦翼式歯間清掃スポンジブラシを示す図。
【図６】弾性と形状復元性および可撓性を有する軸部に螺旋縦翼式歯間歯間清掃スポンジブラシを示す図。
【図７】弾性と形状復元性および可撓性を有する軸部に鼓形歯間空隙形状に硬質、軟質特殊連続多孔体を組み合わせ数珠状に連続させた歯間清掃スポンジブラシを示す図。
【図８】弾性と形状復元性および可撓性を有する軸部にカップ形状の特殊連続多孔体を数珠状に連続させた歯間清掃スポンジブラシを示す図。
【図９】弾性と形状復元性および可撓性を有する軸部にヒトデ形状の特殊連続多孔体を数珠状にランダム連続させた歯間清掃スポンジブラシを示す図。
【図１０】弾性と形状復元性および可撓性を有する軸部を備えるファイバーブラシを示す図。
【図１１】軸縦状断面に細部と太部を設けることによって応力変形する部位を設定した軸部を持つスポンジブラシを示す図。
【図１２】軸縦状断面に細部と太部を設けた軸断面にナイロンバイルを静電植毛加工したブラシ外形を示す図。
【図１３】各種軸断面とその軸断面にナイロンバイルを静電植毛加工したブラシ外形を示す図。
【図１４】軸部をマスキングすることによってナイロンバイルを螺旋状に静電植毛加工をする状況を示す図。
【符号の説明】
１、歯間清掃スポンジ
１ａ、螺旋歯間清掃スポンジ先端部
１ｂ、螺旋歯間清掃スポンジ凸部
１ｃ、螺旋歯間清掃スポンジ凹部
２、軸部
３、軸部、回転ストッパー
４、軸受け鞘部
５ａ、縦翼式歯間清掃スポンジ先端部
５ｂ、縦翼式歯間清掃スポンジ翼根部
５ｃ、縦翼式歯間清掃スポンジ翼端部
６ａ、螺旋縦翼式歯間清掃スポンジ先端部
６ｂ、螺旋縦翼式歯間清掃スポンジ翼根部
６ｃ、螺旋縦翼式歯間清掃スポンジ翼端部
７、連続鼓形歯間空隙形状歯間清掃スポンジ
７ａ、軟質スポンジ部
７ｂ、硬質スポンジ部
８、連続カップ式歯間清掃スポンジ
８ａ、連続カップ式歯間清掃スポンジ凸部
８ｂ、連続カップ式歯間清掃スポンジ凹部
９、連続ランダム配列縦翼式歯間清掃スポンジ先端部
９ａ、連続ランダム配列縦翼式歯間清掃スポン翼端部
９ｂ、連続ランダム配列縦翼式歯間清掃スポンジ翼根部
１１、電動歯間清掃器具保持部
１２、電動歯間清掃器具本体
１３、電動歯間清掃器具スイッチ部
２１、回転運動
２２、自由反復運動
２３、往復運動
２４、硬質スポンジ
２５、軟質スポンジ
２６ａ、ファイバーブラシ
２６ｂ、先端部ファイバーブラシ
３０、手用歯間清掃器具保持部
３１、手用歯間清掃器具ヘッド部
３３、歯牙（歯根）断面
３４、歯牙（歯根）断面陥窮部
３５、マスキング部
３６、接着剤塗布部
３７、軸断面細部
３８、軸断面太部
３９、ナイロンバイル
４０、軸断面細（応力変形）部
４１、軸断面
【手続補正２】
【補正対象書類名】図面
【補正対象項目名】全図
【補正方法】変更
【補正の内容】
【図１】
2004041260.tif 000013
【図２】
2004041260.tif 000014
【図３】
2004041260.tif 000015
【図４】
2004041260.tif 000016
【図５】
2004041260.tif 000017
【図６】
2004041260.tif 000018
【図７】
2004041260.tif 000019
【図８】
2004041260.tif 000020
【図９】
2004041260.tif 000021
【図１０】
2004041260.tif 000022
【図１１】
2004041260.tif 000023
【図１２】
2004041260.tif 000024
【図１３】
2004041260.tif 000025
【図１４】
2004041260.tif 000026
【手続補正書】
【提出日】平成15年7月10日(2003.7.10)
【手続補正１】
【補正対象書類名】明細書
【補正対象項目名】全文
【補正方法】変更
【補正の内容】
【発明の詳細な説明】
【特許請求の範囲】
【請求項１】特願２０００−３８０６８６、特願２００１−２３０２０７の様なスライド運動、回転運動、あるいは回転スライド運動を発生する電動歯間清掃器具の運動軸、あるいは手用歯間清掃器具に接続し歯間部の歯面、歯肉および歯肉溝を清掃する歯間ブラシであって、
前記歯間ブラシの軸部の断面形状をテーパー状、逆テーパー状、あるいは細部と太部を設けることによって任意の部位をより応力変形の高い形状にした適度な弾性と形状復元性および可撓性を併せ持つ樹脂や部分的に焼きいれあるいは焼き生しすることによって弾力性を発揮する部位を任意に調節した金属などで構成することによって、
頬や舌あるいは口唇などで、手用歯間清掃器具や電動歯間清掃器具の口腔挿入方向が解剖学的制約を受け、歯間清掃部の軸方向と、鼓形歯間空隙の頬舌的貫通方向を一致させることが困難な場合も、頬側歯肉側鼓形歯間空隙、あるいは舌側（口蓋側）歯肉側鼓形歯間空隙に位置させて、頬舌方向に軽く圧入すれば、適度な弾性と形状復元性および可撓性を併せ持つ樹脂や金属などの軸部が適度な弾性をもって先端部分が変形しガイドの役目をすることによって、容易に挿入を可能となり、
さらに、歯間部に挿入後、歯間清掃部をスライド運動、回転運動あるいは回転スライド運動させると、複雑な歯根形状を有する迷路のような歯間部にも挿入するだけで、軸部が、鼓形歯間空隙の複雑な解剖学的形態に応じて適合変形することによって、過不足なく清掃部表面を歯間部の歯面、歯肉および歯肉溝に圧接し、表面の微細な凹凸が同部の歯垢を除去清掃するとともに、形状復元性と弾性を有する歯間清掃部および軸部の材質によって変形破折を防止したことを特徴とする歯間清掃器具。
【請求項２】請求項１に記載の歯冠清掃器具の軸部の先端部を包み込むように、先端が滑らかな丸みを持った円柱あるいは多角柱形状の被圧縮性の高い天然繊維素、合成繊維、前記繊維で構成された不織布、天然ゴム、合成ゴム、あるいは合成樹脂などのスポンジ（特殊連続多孔体）を、接着あるいは溶着した歯間清掃部と、
　を含み、
前記、歯間清掃部を歯間部に挿入する場合、軸先端部を被覆する歯間清掃部が、歯間部に挿入する際に辺縁および乳頭歯肉を傷つけることを防止し、
頬や舌あるいは口唇などによって、手用歯間清掃器具や電動歯間清掃器具の口腔挿入方向が解剖学的制約を受け、歯間清掃部の軸方向と、鼓形歯間空隙の頬舌的貫通方向を一致させることが困難な場合も、滑らかな丸みを持った先端部を、頬側歯肉側鼓形歯間空隙、あるいは舌側（口蓋側）歯肉側鼓形歯間空隙に位置させて、頬舌方向に軽く圧入すれば、適度な弾性と形状復元性および可撓性を併せ持つ樹脂や金属などの軸部と歯間清掃スポンジ部が適度な弾性をもって変形適合することによって、容易に挿入を可能とし、
さらに、歯間部に挿入後、歯間清掃部をスライド運動、回転運動あるいは回転スライド運動させると、複雑な歯根形状を有する迷路のような歯間部にも挿入するだけで、軸部と歯間清掃部が、鼓形歯間空隙の複雑な解剖学的形態に応じて適合変形することによって、過不足なく清掃部表面を歯間部の歯面、歯肉および歯肉溝に圧接し、表面の微細な凹凸が同部の歯垢を除去清掃するとともに、形状復元性と弾性を有する歯間清掃部および軸部の材質によって変形破折を防止したことを特徴とする歯間清掃器具。
【請求項３】請求項１及び請求項２に加えて、請求項１に記載の手用歯間清掃器具の保持部、あるいはスライド運動する電動器具のスライド軸に勘合した鞘状のジョイント部と、
前記、ジョイント部の鞘に勘合し、軸回転方向に左右０度から左右４５度回転自在に装着した適度な弾性と形状復元性および可撓性を併せ持つ軸部と、
その軸部先端を包み込むように、長軸断面形状を、歯間乳頭退縮による鼓形歯間空隙の状況に適合した、頂点を両隣在歯の接触点とし、底辺は両端を隣接面歯周ポケット底とし、乳頭歯肉の豊隆に適合するように弓状に窪んだ三角柱、または、先端部から後端部にかけテーパー状の三角錐の外形になるように比較的軟質な被圧縮性の高い天然繊維素、天然ゴム、合成ゴム、あるいは合成樹脂などのスポンジ（連続多孔体）で成型し、その三角柱の長軸中心から長軸に平行な三辺に向けて放射状（矢尻状）に配置した比較的硬質な被圧縮性の高い天然繊維素、天然ゴム、合成ゴム、あるいは合成樹脂などのスポンジ（連続多孔体）で構成した歯間清掃スポンジ部か、
前記、歯間清掃スポンジの厚みを０．１ミリから２ミリの板状のピースとした歯間清掃フィン中心部を同一角度で連続的に数珠状に配列し、各フィンを連ねた外形が三角柱、または、先端部から後端部にかけテーパー状の三角錐の外形になる歯間清掃スポンジ部と、
を含み、
前記、歯間清掃スポンジ部を装着した手用歯間清掃器具および電動歯間器具を鼓形歯間空隙に向けて任意の方向から挿入するだけで、挿入方向にかかわらず歯牙接触点を頂点とし、隣接歯の近遠心遊離歯肉を底辺とする二等辺三角形の外形を呈する鼓形歯間空隙に適合するように自動的に回転して歯間清掃スポンジ部を挿入可能とし、軸中心から長軸に平行な三辺に向けて放射状（矢尻状）に配置した比較的硬質な天然繊維素、天然ゴム、合成ゴム、あるいは合成樹脂などのスポンジ（連続多孔体）が隣接面歯周ポケット底内部の清掃を可能としたことを特徴とする歯間清掃器具。
【請求項４】請求項１及び請求項２に加えて、請求項１に記載の清掃スポンジの長軸面に、長軸方向に螺旋状（螺子状）の溝を形成し、軸部を回転運動させることによって意図的に歯垢を頬側あるいは舌側の一定方向に排出し、電動歯間清掃器具軸部の回転運動方向を随時変換することによって、螺子状の溝は、その推進力により狭窄した鼓形歯間空隙に対して歯間清掃スポンジの侵入を容易にするとともに、逆回転に電動歯間清掃器具を駆動すれば容易に歯間清掃スポンジを引く抜く手助けとなる歯間清掃スポンジ部を備えることを特徴とする歯間清掃器具。
【請求項５】請求項１及び請求項２に加えて、請求項１に記載の清掃スポンジの長軸断面形状を、星形（ヒトデ形）、歯車形、あるいは星形（ヒトデ形）、歯車形の突起部頂点を軸回転方向に対して一定に渦巻き状に回転変形させた形状になるように、軸長軸方向に対して平行か、あるいは多重螺旋状に複数の溝を形成する事によって、軸の回転で歯垢を掻き出すとともに、多重螺旋（多重螺子状）の推進力により狭窄した鼓形歯間空隙に対して歯間清掃スポンジ部の侵入を容易にするとともに、逆回転に電動歯間清掃器具を駆動すれば容易に歯間清掃スポンジ部を引く抜く手助けとなる歯間清掃スポンジ部を備えることを特徴とする歯間清掃器具。
【請求項６】請求項１及び請求項２に加えて、請求項１に記載の清掃スポンジの長軸断面形状を、星形（ヒトデ形）、歯車形、あるいは星形（ヒトデ形）、歯車形の突起部頂点を軸回転方向に対して一定に回転変形させた断面形状の厚さ０．１ミリから２ミリの被圧縮性の高い被圧縮性の高い天然繊維素、天然ゴム、合成ゴム、あるいは合成樹脂などのスポンジ（連続多孔体）を、各星形（ヒトデ形）、歯車形の突起部頂点が近接するそれぞれのピースでランダムにオフセットするか、あるいは、軸に対して一定角度で連続的に変異（軸方向に対して多重螺旋の溝を形成）するピースを、軸部に数珠状に接着あるいは溶着した歯間清掃スポンジ部を備えることを特徴とする歯間清掃器具。
【請求項７】請求項１、請求項２および請求項５に加えて、請求項１および請求項４に記載の各種断面形状のスポンジ部表面に、軸方向に対して直角方向に複数の溝を形成するか、外周の形状が多角形あるいは円形のカップ型のピースを軸部に数珠状に均等配置し、軸方向にスライド運動することによって歯垢を、溝の内部あるいはカップ部分の内面に歯垢を捕らえ、さらに頬側あるいは舌側に排出する歯間清掃スポンジ部を備えることを特徴とする歯間清掃器具。
【請求項８】請求項１に加えて、請求項２から請求項５に記載の歯間清掃スポンジ部の先端部、中央部、後端部でおのおのの同一の被圧縮性、あるいは異なった被圧縮性を有するように被圧縮性の高い天然繊維素、天然ゴム、合成ゴム、あるいは合成樹脂などのスポンジ（連続多孔体）を移行的にあるいは部位別に多重成型し、請求項５および請求項６に記載の清掃スポンジ部では、先端のピースと後端のピースを中央のピースに比較してより硬質な被圧縮性の高い天然繊維素、天然ゴム、合成ゴム、あるいは合成樹脂などのスポンジ（連続多孔体）で構成することによって、歯間挿入時に、頬側、舌側あるいは両側に貫通突出したより硬質なスポンジの反発抵抗により、手指の感覚で清掃スポンジ部が歯間部に的確に挿入されていることを感じ取ることができるだけでなく、軟質なピースは歯根陥窮部によく適合して歯垢除去能率を高めたことを特徴とする歯間清掃スポンジ部を備えた歯間清掃器具。
【請求項９】請求項１に加えて、請求項１に記載の軸部を構成する樹脂や金属などの表面をカバーした樹脂の断面形状を円形、多角形、星形とするか、あるいは縦状断面の形状を波形、凸凹形とし、さらに先端小口面の形状を平面、半球形、あるいは多面体とすることによって、前記軸部に単一の長さのナイロンなどのバイルを静電植毛加工したブラシ部の形状を、自在に再現したことを特徴とする歯間清掃器具。
【請求項１０】請求項１及び請求項９に加えて、請求項１及び請求項９に記載の軸部にナイロンなどのバイルを静電植毛加工する際に被植毛部位をあらかじめマスキングして静電植毛加工することによってブラシ部の植毛形状を、自在に再現したことを特徴とする歯間清掃器具。
【０００１】
【発明の属する技術野】
歯牙表面と歯周組織に付着するプラークは虫歯と歯槽膿漏の原因である細菌の温床となり歯牙喪失の二大原因である。本発明は、特に歯周病の原因となる歯間部のプラークコントロールに最適な口腔清掃用具に関するものである。
【０００２】
【従来の技術】
一般に、歯牙喪失の二大疾患は、カリエスと歯周病であるが、特に歯周病に罹患して歯肉退縮を起こしているケースでは、一般的な歯ブラシによる歯間部のプラークコントロールには限界があり、そのため歯間ブラシなどの口腔清掃補助具が広く使用されている。その代表的な清掃補助器具歯間ブラシは金属よじり線に同心円状にナイロンブラシを巻きつけて配列したものであるが、歯間部挿入時に先端部が歯肉に当たると歯肉を傷つけることも多く、歯牙に先端部の金属があたると違和感を発現し、反復使用によって金属よじり線は金属疲労によって清掃作業中に破損する危険性が高く、日常のオーラルケアに定着させるためには数々の問題があった。さらに、挿入方向に適合す様に清掃ブラシ部分にプレカーブを付与すると、金属線自体に形状復元性がないために歯根陥窮部位などに磨き残し部位が発生する危険性があった。
【０００３】
【発明が解決しようとする課題】
前述の如く、歯間部のプラークコントロールの有用性は高い。しかるに、口腔清掃補助具を用いて歯間部の口腔清掃のために鼓形歯間空隙に歯間清掃器具を挿入する場合に、清掃部先端で歯肉を傷つけることなく、同時に疼痛や違和感を発現することなく容易に挿入可能であるとともに、複雑な歯根形状を有する迷路のような挿入方向に規制のある歯間部にも抵抗なく挿入するだけで適合し、歯根陥窮部にも磨きのこしがなく、さらに、上記清掃作業中に快適で破損することが少ない歯間清掃補助具を提供することである。
【０００４】
【課題を解決するための手段および効果】
本発明は、上記目的を達成するためになされたものであり、第一の発明は、歯間ブラシの軸部の断面形状をテーパー状、逆テーパー状、あるいは細部と太部を設けることによって任意の部位をより応力変形の高い形状にした適度な弾性と形状復元性および可撓性を併せ持つ樹脂や部分的に焼きいれあるいは焼きなましすることによって弾力性を発揮する部位を任意に調節した金属などで構成することによって、特願２０００−３８０６８６、特願２００１−２３０２０７の様なスライド運動、回転運動、あるいは回転スライド運動を発生する電動歯間清掃器具の運動軸、あるいは手用歯間清掃器具に接続し歯間部の歯面、歯肉および歯肉溝を清掃する歯間ブラシである。
このような軸部を持つ歯間ブラシによって頬や舌あるいは口唇などで、手用歯間清掃器具や電動歯間清掃器具の口腔挿入方向が解剖学的制約を受け、歯間清掃部の軸方向と、鼓形歯間空隙の頬舌的貫通方向を一致させることが困難な場合も、頬側歯肉側鼓形歯間空隙、あるいは舌側（口蓋側）歯肉側鼓形歯間空隙に位置させて、頬舌方向に軽く圧入すれば、適度な弾性と形状復元性および可撓性を併せ持つ樹脂や金属などの軸部が適度な弾性をもって先端部分が変形しガイドの役目をすることによって、容易に挿入を可能となり、
さらに、歯間部に挿入後、歯間清掃部をスライド運動、回転運動あるいは回転スライド運動させると、複雑な歯根形状を有する迷路のような歯間部にも挿入するだけで、軸部が、鼓形歯間空隙の複雑な解剖学的形態に応じて適合変形することによって、過不足なく清掃部表面を歯間部の歯面、歯肉および歯肉溝に圧接し、表面の微細な凹凸が同部の歯垢を除去清掃するとともに、形状復元性と弾性を有する歯間清掃部および軸部の材質によって変形破折を防止しすることが可能となる。
第二の発明は、第一の発明に記載の歯冠清掃器具の軸部の先端部を包み込むように、先端が滑らかな丸みを持った円柱あるいは多角柱形状の被圧縮性の高い天然繊維素、合成繊維、前記繊維で構成された不織布、天然ゴム、合成ゴム、あるいは合成樹脂などのスポンジ（特殊連続多孔体）を、接着あるいは溶着した歯間ブラシを、特願２０００−３８０６８６、特願２００１−２３０２０７の様なスライド運動、回転運動あるいは回転スライド運動を発生する電動歯間清掃器具の運動軸、あるいは手用歯間清掃器具の保持部に接続した歯間清掃スポンジを備える歯間清掃器具である。この弾力性を有する被圧縮性の高い天然繊維素、天然ゴム、合成ゴム、あるいは合成樹脂などのスポンジ（連続多孔体）によって、清掃スポンジ部を歯間部に挿入するだけでスポンジ表面各種形状は歯面、歯肉および歯肉溝に圧接され、天然繊維素、天然ゴム、合成ゴム、あるいは合成樹脂などのスポンジ（連続多孔体）の表面の微細な凹凸によって同部の清掃が可能となる。
【０００５】
また、軸先端部を弾性のある被圧縮性の高い天然繊維素、天然ゴム、合成ゴム、あるいは合成樹脂などのスポンジ（連続多孔体）で被覆してあるので、歯間部に挿入する際に辺縁および乳頭歯肉を傷つけることを防止し、頬舌的に鼓形歯間空隙に対する軸挿入方向に制約がある場合も、適度な弾性と形状復元性および可撓性を併せ持つ軸部とともに歯間清掃部の意図的に設計されたより弾性（変形性）の高い部位が適度な弾性をもって変形するので容易に歯間清掃部への挿入が可能となり、さらに、複雑な歯根形状を有する迷路のような歯間部にも抵抗なく挿入するだけで歯間清掃部が被圧縮性の高い天然繊維素、天然ゴム、合成ゴム、あるいは合成樹脂などのスポンジ（連続多孔体）の弾力性によって変形適合するので歯根陥窮部まで清掃可能である。加えて、形状復元性と弾性を有する歯間清掃部および軸部の材質によって従来の歯間ブラシのように金属疲労などによる変形破折を防止することが可能となる。
【０００６】
この電動歯間清掃器具によって歯肉の炎症による腫脹があるケースや直視不可能な臼歯部、特に最後臼歯遠心部や歯間部など各種清掃ブラシや合成樹脂などで成型した清掃チップを装着した口腔清掃部の挿入方向に制約が生じる場合においても、無理のない任意の方向から歯間清掃スポンジの滑らかな丸みを持った先端部を、頬側歯肉側鼓形歯間空隙、あるいは舌側（口蓋側）歯肉側鼓形歯間空隙に位置させて、頬舌方向に軽く圧入し、目的部位に到達させ、保持するだけでプラークコントロールが可能となるので正確な歯面清掃とともに歯間乳頭歯肉の損傷防止に役立つばかりか、歯間清掃スポンジや清掃チップ自体、あるいは口腔清掃部分と本体接合部分が不必要な圧力を受けることが無くなるので破損を防止し耐久性を向上させることができる。
【０００７】
第三の発明は、一般的に歯間乳頭退縮の大きいケースでは、鼓形歯間空隙の形状は頂点を両隣在歯の接触点とし、底辺をその両端を隣接面歯周ポケット底とする三角形の外形となるので、この形状に相似する断面形態の中心部から放射状に鼓形歯間空隙形状の三角形の頂点に向けて矢尻状に配置した比較的硬質な被圧縮性の高い天然繊維素、天然ゴム、合成ゴム、あるいは合成樹脂などのスポンジ（連続多孔体）で構成した歯間清掃スポンジ部か、あるいは、その歯間清掃スポンジを厚み０．１ミリから２ミリの板状のピースとした歯間清掃フィンの中心部を同一角度で連続的に数珠状に軸通した歯間清掃スポンジ部を適度な弾性と形状復元性および可撓性を併せ持つ軸部に接着あるいは溶着し、その軸部と鞘状に勘合し軸方向に左右０度から左右４５度回転自在に、手用歯間清掃器具の保持部、あるいはスライド運動する電動器具のスライド軸に勘合した歯間清掃スポンジ部を備える歯間清掃器具である。
【０００８】
この歯間清掃器具によって、手用歯間清掃器具の保持部および電動器具を任意の挿入角度と方向から歯間部に挿入するだけで、歯牙接触点を頂点として隣接歯の近遠心遊離歯肉を底辺とする二等辺三角形の鼓形歯間空隙に適合した角度に歯間清掃スポンジ部が自動的に回転適合して鼓形歯間空隙を間隙無く満たすように挿入される。この種の形状の歯間清掃スポンジでは、テーパー状に先端部から後端部にかけて板状のピースとした歯間清掃フィンの外形を移行的に大きくしてやれば、より歯間部挿入操作が容易になる。加えて、鼓形歯間空隙に密着圧入した歯間清掃フィンの被圧縮性の差異によって、比較的硬質なスポンジなどの特殊連続多孔体が隣接面歯周ポケット底部内部や両隣在歯の接触点の歯垢を清掃することを可能とする。
【０００９】
第四の発明は、第一の発明の歯間清掃スポンジ長軸面に螺旋状の溝を形成した歯間清掃スポンジを備える歯間清掃器具である。電動歯間清掃器具軸部の回転運動によって長軸面の螺旋形の溝は、歯垢を掻き出すとともに頬側あるいは舌側の一定方向へ意図的に排出することが可能とするだけではなく、電動歯間清掃器具軸部の回転運動方向を随時変換することによって、螺子状の溝は推進力を発揮するので狭窄した鼓形歯間空隙に対して歯間清掃スポンジの侵入を容易にするとともに、逆回転に電動歯間清掃器具を駆動すれば容易に歯間清掃スポンジを引く抜く手助けとなる
【００１０】
第五の発明は、第一の発明の清掃スポンジ部の長軸断面形状を、星形（ヒトデ形）、歯車形、あるいは星形（ヒトデ形）、歯車形の突起部頂点を軸回転方向に対して一定に渦巻き状に回転変形させた形状になるように、軸長軸方向に対して平行か、あるいは多重螺旋状に複数の溝を形成した歯間清掃器具である。
【００１１】
この歯間清掃器を歯間部に挿入の上回転させると、軸長軸方向に対して平行の溝を形成した形状のものでは、星形（ヒトデ形）、歯車形、あるいは星形（ヒトデ形）、歯車形の突起部頂点を軸回転方向に対して一定に渦巻き状に回転変形させた断面形状により、溝の底部に歯垢がかき集められ、多重螺旋状に複数の溝を形成する形状の物では、かき集められた歯垢は、さらに電動歯間清掃器具軸部の回転運動によって歯垢を掻き出すと同時に頬側あるいは舌側の一定方向へ意図的に排出することが可能となる。また、電動歯間清掃器具軸部の回転運動方向を随時変換することによって、第三の発明と同様に、多重螺旋状（多重螺子状）の推進力によって狭窄した鼓形歯間空隙に対して歯間清掃スポンジの侵入を容易にするとともに、逆回転に電動歯間清掃器具を駆動すれば容易に歯間清掃スポンジを引き抜く手助けとなる
【００１２】
第六の発明は、第一の発明の歯間清掃スポンジを星形（ヒトデ形）、歯車形、あるいは星形（ヒトデ形）、歯車形の突起部頂点を軸回転方向に対して一定に回転変形させた断面形状で、厚さ０．１ミリから２ミリの被圧縮性の高い天然繊維素、天然ゴム、合成ゴム、あるいは合成樹脂などのスポンジ（連続多孔体）のおのおのの同一の被圧縮性、あるいは異なった被圧縮性を有するピースを、ランダムにオフセットするか、あるいは、軸に対して一定角度で変異（軸方向に対してステップ状に複数の螺旋形の溝を形成）するよう軸部に数珠状に接着あるいは溶着したことを特徴とする歯間清掃スポンジである。
【００１３】
この歯間清掃スポンジ部を歯間部に挿入の上、保持するだけで軸回転方向に対してランダムに配列した複数の各星形（ヒトデ形）、歯車形の突起部頂点が歯垢を掻き出し、その基底部に歯垢を蓄える。また軸に対して一定角度で変異（軸方向に対してステップ状に複数の螺旋形の溝を形成）するよう配列した歯間清掃部では、電動歯間清掃器具の回転力を利用して、意図的に歯垢を頬側あるいは舌側の一定方向に排出することを可能とするだけでなく、第三、第四の発明と同様に、多重螺旋状（多重螺子状）の推進力によって狭窄した鼓形歯間空隙に対して歯間清掃スポンジの侵入を容易にするとともに、逆回転に電動歯間清掃器具を駆動すれば容易に歯間清掃スポンジを引く抜く手助けとなる。
【００１４】
第七の発明は、第一の発明および第四の発明の各種断面形状のスポンジ部表面に、軸方向に対して垂直方向に複数の溝を形成するか、外周の形状が多角形あるいは円形のカップ型で、おのおのの同一の被圧縮性、あるいは異なった被圧縮性を有するピースを軸部に数珠状に均等配置した歯間清掃スポンジ部を備えることを特徴とする歯間清掃器具である。
【００１５】
この歯間清掃スポンジ部を、電動歯間清掃器具や手用器具を用いて軸方向にスライド運動することによって、溝の内部あるいはカップ部分の内面に歯垢を捕らえ、さらに頬側あるいは舌側に排出することが可能となる。
【００１６】
第八の発明は、第一の発明から第四の発明の歯間清掃スポンジ部を先端部、中央部、後端部で、異なった被圧縮性を有するように、天然繊維素、天然ゴム、合成ゴム、あるいは合成樹脂などのスポンジ（連続多孔体）を移行的にあるいは部位別に多重成型したものか、第五の発明および第六の発明の先端のピース、後端のピース、中央のピースを異なった被圧縮性を有する天然繊維素、天然ゴム、合成ゴム、あるいは合成樹脂などのスポンジ（連続多孔体）で構成する歯間清掃スポンジである。
【００１７】
一例として、先端部分と後端部分を比較的硬質に、中央部分を比較的軟質な被圧縮性の高い天然繊維素、天然ゴム、合成ゴム、あるいは合成樹脂などのスポンジ（連続多孔体）で構成すれば、歯間部挿入時に両端の比較的硬質な部位の摩擦抵抗を手指の感覚で感じ取り、鏡などを使用せずに、清掃スポンジ部が歯間部に的確に挿入されていることを確認ことができる。また、中央部の比較的軟質部位、あるいは軟質なピースは、歯根陥窮部によく適合して歯垢除去能率を高める。
【００１８】
第九の発明は、第一の発明の軸部を構成する樹脂や金属などの表面をカバーした樹脂の断面形状を円形、多角形、星形とするか、あるいは縦状断面の形状を波形、凸凹形とし、先端小口面の形状を平面、半球形、あるいは多面体とすることによって、前記軸部に単一の長さのナイロンなどのバイルを静電植毛加工したブラシ部の形状を、自在に再現したことを特徴とする歯間清掃器具である。
このような軸部の形状は、単一の長さのナイロンなどのバイルが静電植毛加工されたブラシ部の外形形状を相似形に再現することになるので過不足なくブラシを歯間部の歯面、歯肉および歯肉溝に適合圧接し、歯垢を効率よく除去清掃すると共に先端部のブラシ毛の外形も自由に設計できるので、使用時に各種外形のブラシ毛によって覆われた先端部が歯肉などを傷つけることを防止すると共に歯間部への挿入を助けるガイドとしての役目を果たす。
【００１９】
第十の発明は、第一の発明および第９の発明に加えて、軸部にナイロンなどのバイルを静電植毛加工する際に被植毛部位をあらかじめマスキングして静電植毛加工したことを特徴とする歯間清掃器である。これにより植毛される部位は自由に設計することができるので、螺旋状、並列形状など回転、スライド、あるいは回転スライド運動などブラッシング方法に従って最適な植毛形状を自由に再現することは可能となる。
【００２０】
【発明の実施の形態】
以下、本発明の実施の形態を図示例と共に説明する。
図３〜図９は発明を実施する形態の一例であって、図中、図と同一の符号を付した部分は同一物を表わしており、実際に口腔内で使用する場合の基本的な構成は図１および図２示す従来のものと同様であるが、本図示例の特徴とするところは、図１示すような電動歯間清掃器具や図２に示す手用歯間ブラシの金属よじり線とナイロン繊維等で構成する清掃ブラシ部分を適度な弾性と形状復元性および可撓性のある金属あるいは樹脂などとスポンジなどの特殊連続多孔で作成した点にある。
【００２１】
図１に示す如く、電動歯間清掃器具の軸部２に接着あるいは溶着した歯間清掃スポンジ部１を歯間部に挿入して電動歯間清掃器具保持部１１をその位置で維持するだけで電動歯間清掃器具の回転運動２１、往復運動２３、あるいは回転スライド運動で歯間部の歯垢がスポンジ表面各種形状と歯面、歯肉および歯肉溝に圧接され天然繊維素、天然ゴム、合成ゴム、あるいは合成樹脂などのスポンジ（連続多孔体）の表面の微細な凹凸によって自動的に除去清掃される。
【００２２】
また、図３に示す螺旋歯間清掃スポンジを電動歯間清掃器具が稼動状態で歯間部に挿入すると弾性のあるスポンジで被覆してある螺旋歯間清掃スポンジ先端部１ａが歯間部に挿入する際に辺縁および乳頭歯肉を傷つけることを防止し、適度な弾性と形状復元性および可撓性を併せ持つ樹脂や金属などの軸部２によって、頬舌的に鼓形歯間空隙に対する軸挿入方向に制約がある場合、軸部２とともに歯間清掃スポンジ部１が適度な弾性をもって図４に示すように変形するので複雑な歯根形状を有する迷路のような歯間部にも抵抗なく挿入できるばかりか特殊連続多孔体の被圧縮弾性によって変形適合するので歯根陥窮部まで清掃可能である。
加えて、形状復元性と弾性を有する歯間清掃部および軸部の材質によって従来の歯間ブラシのように金属疲労などによる変形破折が防止される。
【００２３】
また、図７に示すような軸部２に鼓形歯間空隙頬舌的断面形状と相似形になるような硬質スポンジ部７ｂ、軟質スポンジ部７ａを組み合わせ、数珠状に連続させた連続鼓形歯間空隙形状歯間清掃スポンジ７を、回転ストッパー３で軸方向に左右０度から左右４５度自由反復運動２２可能に回転自在な軸受け鞘部４で、図２に示すような手用歯間清掃器具の手用歯間清掃器具ヘッド部３１に固定した清掃スポンジを歯間乳頭退縮部位に挿入すると、その三角形の各頂点を両隣在歯の接触点とし、両端を隣接面歯周ポケット底とする三角形の形状に適合する角度に自動的に回転して清掃スポンジが鼓形歯間空隙に導かれる。
【００２４】
さらに、連続鼓形歯間空隙形状歯間清掃スポンジ７は、軟質スポンジ部７ａと硬質スポンジ部７ｂで構成されているので、硬質スポンジ部７ｂが隣接面歯周ポケット底部内部の歯垢を除去清掃する。この機構は、軸部２をスライド運動させる電動歯間清掃器具においても同様に有用であることは言うまでもない。
【００２５】
加えて、図３に示すように先端部と後端部を硬質スポンジ２４、中央部を軟質スポンジ２５で構成する歯間清掃スポンジは、図４に示すように、狭窄した鼓形歯間空隙に挿入すると、両端の比較的硬質な硬質スポンジ２４の摩擦抵抗を手指の感覚で感じ取り、鏡などを使用することなく、清掃スポンジ部が歯間部に的確に挿入されていることを確認ことができる。また、中央部の比較的軟質な軟質スポンジ２５は、歯牙（歯根）断面陥窮部３４によく適合して歯垢除去能率を高める。
【００２６】
このように、図３、図５、図６、図７、図８、図９に示す適度な弾性と形状復元性および可撓性を併せ持つ樹脂や金属などの軸部の先端部周囲に各種形態を変形させた被圧縮性の高い天然繊維素、天然ゴム、合成ゴム、あるいは合成樹脂などのスポンジ（連続多孔体）を接着あるいは溶着した歯間清掃スポンジを、スライド運動、回転運動あるいは回転スライド運動を発生する電動歯間清掃器具の運動軸や手用歯間清掃器具に装着して使用すれば、図３、図６、図９に示す形態の歯間清掃スポンジでは、歯垢を掻き出すと同時に軸部２の回転方向に従って歯垢を回転運動で頬側あるいは舌側に排出するとともに、図６、図９の歯間清掃スポンジでは、多重螺旋状（多重螺子状）、図３の歯間清掃スポンジでは、螺旋状（螺子状）の推進力によって狭窄した鼓形歯間空隙に対して歯間清掃スポンジの侵入を容易にするとともに、逆回転に電動歯間清掃器具を駆動すれば容易に歯間清掃スポンジを引く抜く手助けとなる。
【００２７】
また、図８に示す形態の歯間清掃スポンジでは、往復運動２３で掻き出した歯垢を連続カップ式歯間清掃スポンジ凹部８ｂに貯留しながら清掃可能であるので、不快感が減少させることができる。当然、図３、図５、図６、図７、図８、図９に示す歯間清掃スポンジの形状はそれぞれ単独でも清掃能力を高めるが、各種形状を組み合わせることによってさらにその能力を発揮する。
【００２８】
変形した発明においては、図１０に示すように、適度な弾性を有する被圧縮性の高い天然繊維素、天然ゴム、合成ゴム、あるいは合成樹脂などのファイバーブラシ２６ａを、先端部ファイバーブラシ２６ｂは、滑らかな丸みを持った円柱あるいは多角柱形状の外形になるように、スライド軸に接続した適度な弾性と形状復元性および可撓性を併せ持つ樹脂や金属などの軸部２に電着、接着あるいは溶着してあるので、歯間部に挿入する際に辺縁および乳頭歯肉を傷つけることを防止し、頬側歯肉側鼓形歯間空隙をガイドとして手用歯間清掃器具や電動歯間清掃器具の口腔挿入方向によって決まるファイバーブラシの軸方向を、軸部の適度な弾性と形状復元性および可撓性により変形し、鼓形歯間空隙の頬舌的貫通方向に導くと同時に、ファイバーブラシ部をスライド運動、回転運動あるいは回転スライド運動させると、複雑な歯根形状を有する迷路のような歯間部にも挿入するだけで、軸部が、鼓形歯間空隙の複雑な解剖学的形態に応じて適合変形するので、図４の歯間清掃スポンジと同様に変形することによって、過不足なくファイバーブラシ部を歯間部の歯面、歯肉および歯肉溝に圧接し、歯垢を除去清掃するとともに、形状復元性と弾性を有する軸部の材質によって変形破折を防止する。
【００２９】
さらに図１に示すスポンジブラシは、図１１に示すスポンジブラシのように軸を軸断面細（応力変形）部４０と太い部分に分けることによって軸断面細（応力変形）部４０はより応力変形を受けることになるので、一層外力により変形することになり、任意の設定部位でブラシ全体を変形させることが可能となる。
【００３０】
さらにこの発明を発展させれば、図１２に示すように軸縦状断面に軸断面細部３７と軸断面太部３８を設け、さらに先端部の小口面の正常を各種変更することによって、等長のナイロンバイル３９を静電植毛加工すれば、ナイロンブラシ部の外形が軸部と相似形の任意の植毛方向を持ったブラシ外形を設定することができる。加えて、図１３に示すように軸断面４１を星形、あるいは多角形などに設定することによって、やはり同様に静電植毛加工される等長ナイロンバイル３９によって、ブラシ部の断面形状は任意に設定することができる。また、ブラシ部の植毛位置は、図１４に示すように軸部２の植毛加工以外をマスキング部３５とし、接着剤塗布部３６に静電植毛加工すれば自在にナイロンバイル植毛加工位置を設定できるので全体の植毛の流れを螺旋状、ポイント（ドット）状など自在に設定することも可能となる。
【００３１】
尚、本発明の全体の形状、軸材や被圧縮性の高い天然繊維素、天然ゴム、合成ゴム、あるいは合成樹脂などのスポンジ（連続多孔体）の材質とおよび接着あるいは溶着方法、電動歯間清掃器具のスライド運動、回転運動、あるいは回転スライド運動などのメカニズムや手用歯間清掃器具の形状は、上述の図示例にのみ限定されるものではなく、本発明の要旨を逸脱しない範囲内において種々変更を加え得ることは勿論である。
【図面の簡単な説明】
【図１】本発明の一実施例を示す被圧縮性の高い天然繊維素、天然ゴム、合成ゴム、あるいは合成樹脂などのスポンジ（連続多孔体）歯間清掃スポンジを備える電動歯間清掃器具を示す図。
【図２】本発明の一実施例を示す被圧縮性の高い天然繊維素、天然ゴム、合成ゴム、あるいは合成樹脂などのスポンジ（連続多孔体）歯間清掃スポンジを備える手用歯間清掃器具を示す図。
【図３】弾性と形状復元性および可撓性を有する軸部に螺旋歯間清掃スポンジブラシを示す図。
【図４】弾性と形状復元性および可撓性を有する軸部に螺旋歯間清掃スポンジ変形状態を示す図。
【図５】弾性と形状復元性および可撓性を有する軸部に縦翼式歯間清掃スポンジブラシを示す図。
【図６】弾性と形状復元性および可撓性を有する軸部に螺旋縦翼式歯間歯間清掃スポンジブラシを示す図。
【図７】弾性と形状復元性および可撓性を有する軸部に鼓形歯間空隙形状に硬質、軟質特殊連続多孔体を組み合わせ数珠状に連続させた歯間清掃スポンジブラシを示す図。
【図８】弾性と形状復元性および可撓性を有する軸部にカップ形状の特殊連続多孔体を数珠状に連続させた歯間清掃スポンジブラシを示す図。
【図９】弾性と形状復元性および可撓性を有する軸部にヒトデ形状の特殊連続多孔体を数珠状にランダム連続させた歯間清掃スポンジブラシを示す図。
【図１０】弾性と形状復元性および可撓性を有する軸部を備えるファイバーブラシを示す図。
【図１１】軸縦状断面に細部と太部を設けることによって応力変形する部位を設定した軸部を持つスポンジブラシを示す図。
【図１２】軸縦状断面に細部と太部を設け、各種先端部形状の軸断面にナイロンバイルを静電植毛加工したブラシ外形を示す図。
【図１３】各種軸断面とその軸断面にナイロンバイルを静電植毛加工したブラシ外形を示す図。
【図１４】軸部をマスキングすることによってナイロンバイルを螺旋状に静電植毛加工をする状況を示す図。
【符号の説明】
１、歯間清掃スポンジ
１ａ、螺旋歯間清掃スポンジ先端部
１ｂ、螺旋歯間清掃スポンジ凸部
１ｃ、螺旋歯間清掃スポンジ凹部
２、軸部
３、軸部、回転ストッパー
４、軸受け鞘部
５ａ、縦翼式歯間清掃スポンジ先端部
５ｂ、縦翼式歯間清掃スポンジ翼根部
５ｃ、縦翼式歯間清掃スポンジ翼端部
６ａ、螺旋縦翼式歯間清掃スポンジ先端部
６ｂ、螺旋縦翼式歯間清掃スポンジ翼根部
６ｃ、螺旋縦翼式歯間清掃スポンジ翼端部
７、連続鼓形歯間空隙形状歯間清掃スポンジ
７ａ、軟質スポンジ部
７ｂ、硬質スポンジ部
８、連続カップ式歯間清掃スポンジ
８ａ、連続カップ式歯間清掃スポンジ凸部
８ｂ、連続カップ式歯間清掃スポンジ凹部
９、連続ランダム配列縦翼式歯間清掃スポンジ先端部
９ａ、連続ランダム配列縦翼式歯間清掃スポン翼端部
９ｂ、連続ランダム配列縦翼式歯間清掃スポンジ翼根部
１１、電動歯間清掃器具保持部
１２、電動歯間清掃器具本体
１３、電動歯間清掃器具スイッチ部
２１、回転運動
２２、自由反復運動
２３、往復運動
２４、硬質スポンジ
２５、軟質スポンジ
２６ａ、ファイバーブラシ
２６ｂ、先端部ファイバーブラシ
３０、手用歯間清掃器具保持部
３１、手用歯間清掃器具ヘッド部
３３、歯牙（歯根）断面
３４、歯牙（歯根）断面陥窮部
３５、マスキング部
３６、接着剤塗布部
３７、軸断面細部
３８、軸断面太部
３９、ナイロンバイル
４０、軸断面細（応力変形）部
４１、軸断面
４２、先端部半球形軸断面
４３、先端部多面体軸断面
【手続補正２】
【補正対象書類名】図面
【補正対象項目名】全図
【補正方法】変更
【補正の内容】
【図１】
2004041260.tif 000027
【図２】
2004041260.tif 000028
【図３】
2004041260.tif 000029
【図４】
2004041260.tif 000030
【図５】
2004041260.tif 000031
【図６】
2004041260.tif 000032
【図７】
2004041260.tif 000033
【図８】
2004041260.tif 000034
【図９】
2004041260.tif 000035
【図１０】
2004041260.tif 000036
【図１１】
2004041260.tif 000037
【図１２】
2004041260.tif 000038
【図１３】
2004041260.tif 000039
【図１４】
2004041260.tif 000040